(57)【特許請求の範囲】
【請求項１】
時刻付与装置と、時刻受取装置とを有する通信システムであって、
前記時刻付与装置は、
計時を行って時刻を示す付与計時部と、
書き込まれたデータを保持して当該データが示す情報を記憶する付与記憶部と、
予め定められたイベントが発生すると、その内容または結果と前記付与計時部が示している発生時刻とを含む発生履歴を前記付与記憶部に記録するイベント記録部と、
前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、
前記付与計時部が計時を再開すると、前記最終時刻が記憶されている場合に、前記最終時刻を開始時刻として前記付与記憶部に記録する開始時刻記録部と、
使用者に操作され、操作内容に応じた信号を出力する操作部と、
データを片方向通信方式で送信して当該データが示す情報を出力する片方向送信部と、
前記発生履歴が記憶されているときに前記操作部から所定の信号が出力されると、記憶されている前記発生履歴を前記片方向送信部に一括して出力させる一括送信制御部と、
前記開始時刻が記憶されているときに前記操作部から所定の信号が出力されると、前記開始時刻を前記片方向送信部に出力させる開始時刻送信制御部と、
所定の条件が充たされると、前記付与計時部が示している送信時刻を前記片方向送信部に出力させる送信時刻送信制御部とを備え、
前記時刻受取装置は、
計時を行って時刻を示す受取計時部と、
データを受信して当該データが示す情報を入力する受取受信部と、
書き込まれたデータを保持して当該データが示す情報を記憶する受取記憶部と、
前記時刻付与装置から出力された情報を前記受取受信部に一括して入力させる一括受信処理を繰り返し行う一括受信制御部と、
前記一括受信処理で入力された前記発生履歴を前記受取記憶部に記録する発生履歴記録部と、
前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部とを備える、
ことを特徴とする通信システム。
【請求項２】
時刻訂正装置を有し、
前記時刻受取装置は、
データを送出して当該データが示す情報を出力する受取出力部と、
前記受取記憶部に記憶されている前記発生履歴、前記送信時刻および前記受信時刻を前記受取出力部に出力させる受取送信制御部とを有し、
前記時刻訂正装置は、
書き込まれたデータを保持して当該データが示す情報を記憶する訂正記憶部と、
データを受信して当該データが示す情報を入力する訂正受信部と、
前記時刻付与装置から出力された情報を前記訂正受信部に入力させる訂正受信制御部と、
前記訂正受信部に入力された前記発生履歴、前記送信時刻および前記受信時刻を前記訂正記憶部に記録する訂正記録部と、
前記訂正記憶部に記憶されている前記発生履歴に含まれている発生時刻を、前記訂正記憶部に記憶されている前記送信時刻および前記受信時刻に基づいて訂正する訂正部とを有する、
ことを特徴とする請求項１に記載の通信システム。
【請求項３】
前記受取受信部は、データを前記片方向通信方式で受信して当該データが示す情報を入力する片方向受信部である、
ことを特徴とする請求項１に記載の通信システム。
【請求項４】
前記所定の条件は、前記操作部から前記所定の信号が出力されると充たされる、
ことを特徴とする請求項１に記載の通信システム。
【請求項５】
時刻合わせ装置を有し、
前記時刻合わせ装置は、
計時を行って時刻を示す基準計時部と、
正しい時刻を示すように前記基準計時部を設定する基準設定部と、
データを送出して当該データが示す情報を出力する基準出力部と、
前記基準計時部が示す時刻を前記基準出力部に出力させる出力制御部とを備え、
前記時刻受取装置は、
データを受け取って当該データが示す情報を入力する受取入力部と、
前記基準出力部から出力された時刻を前記受取入力部に入力させる受取入力制御部と、
前記受取入力部が入力した時刻に基づいて、正しい時刻を示すように、前記受取計時部を設定する受取設定部とを備える、
ことを特徴とする請求項１に記載の通信システム。
【請求項６】
計時を行って時刻を示す付与計時部と、
書き込まれたデータを保持して当該データが示す情報を記憶する付与記憶部と、
予め定められたイベントが発生すると、その内容または結果と前記付与計時部が示している発生時刻とを含む発生履歴を前記付与記憶部に記録するイベント記録部と、
前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、
前記付与計時部が計時を再開すると、前記最終時刻が記憶されている場合に、前記最終時刻を開始時刻として前記付与記憶部に記録する開始時刻記録部と、
使用者に操作され、操作内容に応じた信号を出力する操作部と、
データを片方向通信方式で送信して当該データが示す情報を出力する片方向送信部と、
前記発生履歴が記憶されているときに前記操作部から所定の信号が出力されると、記憶されている前記発生履歴を前記片方向送信部に一括して出力させる一括送信制御部と、
前記開始時刻が記憶されているときに前記操作部から所定の信号が出力されると、前記開始時刻を前記片方向送信部に出力させる開始時刻送信制御部と、
所定の条件が充たされると、前記付与計時部が示している送信時刻を前記片方向送信部に出力させる送信時刻送信制御部と
を備える時刻付与装置。
【請求項７】
前記最終時刻記録部は、前記発生時刻が記録されると、この発生時刻を前記最終時刻として上書き方式で記録する、
ことを特徴とする請求項６に記載の時刻付与装置。
【請求項８】
前記最終時刻記録部は、周期的に、前記付与計時部が示している時刻を前記最終時刻として上書き方式で記録する、
ことを特徴とする請求項６に記載の時刻付与装置。
【請求項９】
着脱自在に電池を備え、
前記付与計時部は、前記電池から電力が供給されている場合にのみ計時を行う、
ことを特徴とする請求項６に記載の時刻付与装置。
【請求項１０】
生体情報を測定するセンサを備え、
前記イベントは、前記センサによる測定である、
ことを特徴とする請求項６に記載の時刻付与装置。
【請求項１１】
計時を行って時刻を示す受取計時部と、
データを受信して当該データが示す情報を入力する受取受信部と、
書き込まれたデータを保持して当該データが示す情報を記憶する受取記憶部と、
計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置から出力された情報を前記受取受信部に一括して入力させる一括受信処理を繰り返し行う一括受信制御部と、
前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部と
を備える時刻受取装置。
【請求項１２】
書き込まれたデータを保持して当該データが示す情報を記憶する付与記憶部と、データを片方向通信方式で送信して当該データが示す情報を出力する片方向送信部と、使用者に操作され、操作内容に応じた信号を出力する操作部とを備え、予め定められたイベントが発生するコンピュータを、
計時を行って時刻を示す付与計時部と、
前記イベントが発生すると、その内容または結果と前記付与計時部が示している時刻とを含む発生履歴を前記付与記憶部に記録するイベント記録部と、
前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、
前記付与計時部が計時を再開すると、前記最終時刻が記憶されている場合に、前記最終時刻を開始時刻として前記付与記憶部に記録する開始時刻記録部と、
前記発生履歴が記憶されているときに前記操作部から所定の信号が出力されると、記憶されている前記発生履歴を前記片方向送信部に一括して出力させる一括送信制御部と、
前記開始時刻が記憶されているときに前記操作部から所定の信号が出力されると、前記開始時刻を前記片方向送信部に出力させる開始時刻送信制御部と、
所定の条件が充たされると、前記付与計時部が示している送信時刻を前記片方向送信部に出力させる送信時刻送信制御部
として機能させるプログラム。
【請求項１３】
書き込まれたデータを保持して当該データが示す情報を記憶する受取記憶部と、データを受信して当該データが示す情報を入力する受取受信部とを備えるコンピュータを、
計時を行って時刻を示す受取計時部と、
計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置から出力された情報を前記受取受信部に一括して入力させる一括受信処理を繰り返し行う一括受信制御部と、
前記一括受信処理で入力された前記発生履歴を前記受取記憶部に記録する発生履歴記録部と、
前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部
として機能させるプログラム。
【請求項１４】
書き込まれたデータを保持して当該データが示す情報を記憶する付与記憶部と、データを片方向通信方式で送信して当該データが示す情報を出力する片方向送信部と、使用者に操作され、操作内容に応じた信号を出力する操作部と、計時を行って時刻を示す付与計時部と、予め定められたイベントが発生すると、その内容または結果と前記付与計時部が示している時刻とを含む発生履歴を前記付与記憶部に記録するイベント記録部と、前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、所定の条件が充たされると、前記付与計時部が示している送信時刻を前記片方向送信部に出力させる送信時刻送信制御部とを備える装置が行う方法であって、
前記付与計時部が計時を再開すると、記憶されている前記最終時刻を開始時刻として前記付与記憶部に記録する開始時刻記録ステップと、
前記開始時刻記録ステップの後に、記憶されている前記発生履歴と前記開始時刻とを前記片方向送信部に一括して出力させる一括送信制御ステップと
を有することを特徴とする時刻付与方法。
【請求項１５】
書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置とともに用いられ、書き込まれたデータを保持して当該データが示す情報を記憶する受取記憶部と、データを受信して当該データが示す情報を入力する受取受信部と、計時を行って時刻を示す受取計時部と、前記時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部とを備える装置が行う方法であって、
前記一括受信処理で前記開始時刻とともに入力された前記発生時刻のうち当該開始時刻よりも前のものを特定する対象特定ステップと、
前記対象特定ステップで特定された前記発生時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とに基づいて、前記付与計時部が停止していた時間を特定する時間特定ステップと、
前記対象特定ステップで特定された発生時刻を、前記時間特定ステップで特定された時間だけ前の時刻に変更する訂正ステップと
を有することを特徴とする時刻訂正方法。
【発明の詳細な説明】
【技術分野】
【０００１】
本発明は、生体情報の測定等のイベントの内容または結果を、その発生時刻に対応付けて記憶し、一括して出力する技術に関する。
【背景技術】
【０００２】
特許文献１には、ＲＴＣ（Real Time Clock）を備え、血圧値等の生体情報を定期的に測定し、測定した生体情報を、その測定時にＲＴＣが示していた時刻に対応付けて蓄積し、片方向通信方式で一括して出力する生体情報測定装置が記載されている。この生体情報測定装置を有する通信システムでは、ＲＴＣが示していた時刻が測定時刻として扱われる。このＲＴＣが電池を内蔵しているか否かは不明である。
【０００３】
このＲＴＣが電池を内蔵していない場合、主電源からＲＴＣへの給電が停止すると、ＲＴＣの計時も停止する。したがって、給電停止前に測定された生体情報の測定時刻（ＲＴＣに基づく時刻）と給電再開後に測定された生体情報の測定時刻（ＲＴＣに基づく時刻）との差分が、実際の測定時間間隔よりも短くなってしまう。
【０００４】
この問題を解決するために、電池交換が必要となる携帯型機器の分野における周知または公知の技術を応用することが考えられる。この応用によって得られる形態としては、ＲＴＣがバックアップ用の電源を内蔵している第１の形態、使用者が計時部を有する機器を直接的に操作して時刻合わせを行う第２の形態（特許文献２の図６および図２５参照）、送信先の装置からデータを受信して時刻合わせを行う第３の形態（特許文献３参照）が挙げられる。
【特許文献１】特開２００５−２６１７１０号公報
【特許文献２】特開２００３−１５２０９号公報
【特許文献３】特開平１１−２５３４１１号公報
【発明の開示】
【発明が解決しようとする課題】
【０００５】
しかし、第１の形態では、バックアップ用の電源が必須のため、装置の大型化や、回路構成の複雑化、製造コストの上昇が懸念される。また、第２の形態では、時刻合わせのための操作スイッチが必要となる一方、例えば、年、月、日、時、分、秒を一つ又は二つのボタンを繰り返し操作して巡回的に切り替えることにより設定対象の項目を選択した上で他の一つ又は二つのボタンを繰り返し操作して選択項目に値を設定する作業を複数の項目について繰り返す、といった煩雑な作業が必要となってしまう。また、第３の形態では、送信先の装置との間で双方向の通信を実現する必要があるから、受信機が必須となり、装置の大型化や、消費電流の増大、製造コストの上昇が懸念されるともに、医療機器として使用し難くなってしまう。医療機器には、通常、通信の異常による誤動作を防ぐために、双方向通信を用いないことが要求されるからである。
【０００６】
これらの問題は、測定機器に限らず、発生したイベントの内容または結果を、計時部に基づく発生時刻を付与した上で記憶し、一括して送信する任意の装置にもあてはまる。そこで、本発明は、発生したイベントの内容または結果を、計時部に基づく発生時刻を付与した上で記憶し、一括して送信する装置によって、計時部の計時の停止に起因して不正な発生時刻が付与された場合にも、これを訂正することができる通信システムと、この通信システムに含まれる時刻付与装置および時刻受取装置と、これらの装置に実行されるプログラムと、時刻付与方法と、時刻訂正方法を提供することを解決課題としている。
【課題を解決するための手段】
【０００７】
上記課題を解決するために本発明は、時刻付与装置と、時刻受取装置とを有する通信システムであって、前記時刻付与装置は、計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備え、前記時刻受取装置は、計時を行って時刻を示す受取計時部と、データを受信して当該データが示す情報を入力する受取受信部と、書き込まれたデータを保持して当該データが示す情報を記憶する受取記憶部と、前記時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部と、前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部とを備えることを特徴とする通信システムを提供する。
前記所定の条件とは、最低限、前記開始時刻が記録されており、前記操作部から所定の信号が出力された場合である。
この通信システムの時刻付与装置は、イベントが発生すると、その内容または結果と時刻付与装置内の付与計時部が示している発生時刻とを含む発生履歴を記録し、所定の操作が行われると、記憶している発生履歴を一括出力する。この出力が、イベントが発生した後に付与計時部の計時が停止して再開した後の最初の出力の場合、出力される情報には、停止直前に記録された発生時刻以降の時刻であって停止の前に付与計時部が示した開始時刻が含まれる。一方、時刻受取装置は、時刻付与装置からの情報を入力して記録する。また、所定の条件が充たされると、時刻付与装置から時刻受取装置へ送信時刻が渡される。したがって、時刻受取装置では、開始時刻とともに入力した発生時刻のうち開始時刻よりも前の発生時刻を訂正することが可能となる。よって、この通信システムによれば、発生したイベントの内容または結果を、計時部に基づく発生時刻を付与した上で記憶し、一括して送信する装置によって、計時部の計時の停止に起因して不正な発生時刻が付与された場合にも、これを訂正することができる。なお、上記の訂正は、例えば、渡された少なくとも二つの送信時刻と、これらの送信時刻が渡されたときに受取計時部が示していた受信時刻とに基づいて、付与計時部の計時の停止時間を求め、開始時刻とともに入力した発生時刻のうち開始時刻よりも前の発生時刻を、停止時間だけ前の時刻に変更することで実現される。
【０００８】
上記の通信システムにおいて、時刻訂正装置を有し、前記時刻受取装置は、データを送出して当該データが示す情報を出力する受取出力部と、前記受取記憶部に記憶されている前記発生履歴、前記送信時刻および前記受信時刻を前記受取出力部に出力させる受取送信制御部とを有し、前記時刻訂正装置は、書き込まれたデータを保持して当該データが示す情報を記憶する訂正記憶部と、データを受信して当該データが示す情報を入力する訂正受信部と、前記時刻付与装置から出力された情報を前記訂正受信部に入力させる訂正受信制御部と、前記訂正受信部に入力された前記発生履歴、前記送信時刻および前記受信時刻を前記訂正記憶部に記録する訂正記録部と、前記訂正記憶部に記憶されている前記発生履歴に含まれている発生時刻を、前記訂正記憶部に記憶されている前記送信時刻および前記受信時刻に基づいて訂正する訂正部とを有する、ようにしてもよい。この態様によれば、時刻受取装置が訂正部を有する態様に比較して、時刻受取装置にかかる負荷を軽減することができる。これは、時刻受取装置の小型化の向上の観点で有利である。
【０００９】
上記の通信システムまたは態様において、前記受取受信部は、データを前記片方向通信方式で受信して当該データが示す情報を入力する片方向受信部である、ようにしてもよい。この態様によれば、時刻付与装置と時刻受取装置との間に、通信方式を変換する中継装置を設ける必要がなくなる。また、上記の通信システムまたは上記の各態様において、前記所定の条件は、前記操作部から前記所定の信号が出力されると充たされる、ようにしてもよい。
【００１０】
上記の通信システムまたは上記の各態様において、時刻合わせ装置を有し、前記時刻合わせ装置は、計時を行って時刻を示す基準計時部と、正しい時刻を示すように前記基準計時部を設定する基準設定部と、データを送出して当該データが示す情報を出力する基準出力部と、前記基準計時部が示す時刻を前記基準出力部に出力させる出力制御部とを備え、前記時刻受取装置は、データを受け取って当該データが示す情報を入力する受取入力部と、前記基準出力部から出力された時刻を前記受取入力部に入力させる受取入力制御部と、前記受取入力部が入力した時刻に基づいて、正しい時刻を示すように、前記受取計時部を設定する受取設定部とを備える、ようにしてもよい。この態様によれば、時刻受取装置に、使用者の操作による時刻合わせを可能とする機構を設ける必要がなくなる。これは、時刻受取装置の構成の簡素化や、使用者の手間の削減に寄与する。なお、基準設定部が、ＮＴＰ（Network Time Protocol）を用いる等して、正しい時刻を示すように基準計時部を自動的に設定するようにしてもよく、この場合には、時刻合わせ装置の使用者の手間も削減可能である。
【００１１】
また、本発明は、計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置を提供する。
この時刻付与装置によれば、例えば、計時を行って時刻を示す受取計時部と、データを受信して当該データが示す情報を入力する受取受信部と、書き込まれたデータを保持して当該データが示す情報を記憶する受取記憶部と、前記時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部と、前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部とを備える時刻受取装置と協働して、上記の通信システムを実現することができる。
【００１２】
上記の時刻付与装置において、前記最終時刻記録部は、前記発生時刻が記録されると、この発生時刻を前記最終時刻として上書き方式で記録する、ようにしてもよいし、前記最終時刻記録部は、周期的に、前記付与計時部が示している時刻を前記最終時刻として上書き方式で記録する、ようにしてもよい。これらの態様では、最終時刻は、発生時刻が記録される度または周期的に上書きされ、付与計時部が停止しているときに記憶されている最終時刻のみが発生時刻の訂正に利用される。前者の態様によれば、最終時刻を記録する回数を最少にしつつ、すなわち電力消費を抑えつつ、付与計時部の停止前に記録された発生時刻が示す時刻よりも前の時刻が最終時刻となってしまう事態、すなわち時刻受取装置において正しい発生時刻が正しくない発生時刻とみなされてしまう事態を確実に回避することができる。
【００１３】
上記の時刻付与装置または上記の各態様において、着脱自在に電池を備え、前記付与計時部は、前記電池から電力が供給されている場合にのみ計時を行う、ようにしてもよい。この態様では、時刻付与装置が備えるべき電源は電池のみで足りる。したがって、装置の小型化や携帯性の向上の観点で有利である。また、この態様では、電池は、着脱自在であるから、その交換が可能である。つまり、付与計時部の計時が停止し易い構成となっている。よって、この態様では、本発明の効果が特に際立つ。
【００１４】
上記の時刻付与装置または上記の各態様において、生体情報を測定するセンサを備え、前記イベントは、前記センサによる測定である、ようにしてもよい。生体情報は、生体の状態を示す情報であり、例えば、尿糖値や血圧値、体温、体重である。この態様では、蓄積された測定結果（イベントの内容または結果）および測定時刻（イベントの発生時刻）に基づいて生態の状態を分析することが可能となる。この分析の精度は、正しくない測定時刻に基づくと著しく低くなる。したがって、この態様では、本発明の効果が特に際立つ。
【００１５】
また、本発明は、計時を行って時刻を示す受取計時部と、データを受信して当該データが示す情報を入力する受取受信部と、書き込まれたデータを保持して当該データが示す情報を記憶する受取記憶部と、計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置から出力された情報を前記受取受信部に一括して入力させる一括受信処理を繰り返し行う一括受信制御部と、前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部とを備える時刻受取装置を提供する。
この時刻受取装置によれば、発生したイベントの内容または結果を、計時部に基づく発生時刻を付与した上で記憶し、一括して送信する装置によって、計時部の計時の停止に起因して不正な発生時刻が付与された場合にも、これを訂正することが可能となる。
【００１６】
また、本発明は、書き込まれたデータを保持して当該データが示す情報を記憶する付与記憶部と、データを片方向通信方式で送信して当該データが示す情報を出力する片方向送信部と、使用者に操作され、操作内容に応じた信号を出力する操作部とを備え、予め定められたイベントが発生するコンピュータを、計時を行って時刻を示す付与計時部と、前記イベントが発生すると、その内容または結果と前記付与計時部が示している時刻とを含む発生履歴を前記付与記憶部に記録するイベント記録部と、前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、前記付与計時部が計時を再開すると、前記最終時刻が記憶されている場合に、前記最終時刻を開始時刻として前記付与記憶部に記録する開始時刻記録部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部として機能させるプログラムと、このプログラムを記録したコンピュータ読み取り可能な記録媒体を提供する。なお、記録媒体に代えてデータキャリヤを提供することも可能である。
このプログラムを実行するコンピュータによれば、例えば、計時を行って時刻を示す受取計時部と、データを受信して当該データが示す情報を入力する受取受信部と、書き込まれたデータを保持して当該データが示す情報を記憶する受取記憶部と、前記時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部と、前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部とを備える時刻受取装置と協働して、上記の通信システムを実現することができる。
【００１７】
また、本発明は、書き込まれたデータを保持して当該データが示す情報を記憶する受取記憶部と、データを受信して当該データが示す情報を入力する受取受信部とを備えるコンピュータを、計時を行って時刻を示す受取計時部と、計時を行って時刻を示す付与計時部と、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部と、前記開始時刻とともに入力された前記発生時刻のうち、当該開始時刻よりも前のものに対応付けて、当該開始時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とを、前記受取記憶部に記録する受取記録部として機能させるプログラムと、このプログラムを記録したコンピュータ読み取り可能な記録媒体を提供する。なお、記録媒体に代えてデータキャリヤを提供することも可能である。
このプログラムを実行するコンピュータによれば、発生したイベントの内容または結果を、計時部に基づく発生時刻を付与した上で記憶し、一括して送信する装置によって、計時部の計時の停止に起因して不正な発生時刻が付与された場合にも、これを訂正することが可能となる。
【００１８】
また、本発明は、書き込まれたデータを保持して当該データが示す情報を記憶する付与記憶部と、データを片方向通信方式で送信して当該データが示す情報を出力する片方向送信部と、使用者に操作され、操作内容に応じた信号を出力する操作部と、計時を行って時刻を示す付与計時部と、予め定められたイベントが発生すると、その内容または結果と前記付与計時部が示している時刻とを含む発生履歴を前記付与記憶部に記録するイベント記録部と、前記付与計時部の計時の停止直前に前記イベント記録部が記録した前記発生時刻以降の時刻であって前記停止の前に前記付与計時部が示した時刻を最終時刻として前記付与記憶部に記録する最終時刻記録部と、所定の条件が充たされると、前記付与計時部が示している送信時刻を前記片方向送信部に出力させる送信時刻送信制御部とを備える装置が行う方法であって、前記付与計時部が計時を再開すると、記憶されている前記最終時刻を開始時刻として前記付与記憶部に記録する開始時刻記録ステップと、前記開始時刻記録ステップの後に、記憶されている前記発生履歴と前記開始時刻とを前記片方向送信部に一括して出力させる一括送信制御ステップとを有することを特徴とする時刻付与方法を提供する。この時刻付与方法によれば、上記の時刻付与装置により得られる効果と同様の効果が得られる。
【００１９】
また、本発明は、書き込まれたデータを保持して当該データが示す情報を記憶する付与記憶部と、予め定められたイベントが発生すると、その内容または結果と前記付与計時部が示している発生時刻とを含む発生履歴を前記付与記憶部に記録するイベント記録部と、前記イベントが発生すると、前記付与計時部が示している時刻を示すデータを、最終時刻データとして記憶する最終時刻記憶部と、前記付与計時部が計時を再開すると、前記最終時刻が記憶されている場合に、前記最終時刻を開始時刻として前記付与記憶部に記録する開始時刻記録部と、使用者に操作され、操作内容に応じた信号を出力する操作部と、データを片方向通信方式で送信して当該データが示す情報を出力する片方向送信部と、前記発生履歴が記憶されているときに前記操作部から所定の信号が出力されると、記憶されている前記発生履歴を前記片方向送信部に一括して出力させる一括送信制御部と、前記開始時刻が記憶されているときに前記操作部から所定の信号が出力されると、前記開始時刻を前記片方向送信部に出力させる開始時刻送信制御部と、所定の条件が充たされると、前記付与計時部が示している送信時刻を前記片方向送信部に出力させる送信時刻送信制御部とを備える時刻付与装置とともに用いられ、書き込まれたデータを保持して当該データが示す情報を記憶する受取記憶部と、データを受信して当該データが示す情報を入力する受取受信部と、計時を行って時刻を示す受取計時部と、前記時刻付与装置から出力された情報を前記受取受信部に一括して入力させる一括受信処理を繰り返し行う一括受信制御部と、前記一括受信処理で入力された前記発生履歴を前記受取記憶部に記録する発生履歴記録部とを備える装置が行う方法であって、前記一括受信処理で前記開始時刻とともに入力された前記発生時刻のうち当該開始時刻よりも前のものを特定する対象特定ステップと、前記対象特定ステップで特定された前記発生時刻が入力された前記一括受信処理が行われる前に入力された前記送信時刻と、当該送信時刻が入力されたときに前記受取計時部が示していた受信時刻と、当該一括受信処理以降の前記一括受信処理で入力された前記送信時刻と、当該送信時刻が入力されたときに前記受取計時部が示していた受信時刻とに基づいて、前記付与計時部が停止していた時間を特定する時間特定ステップと、前記対象特定ステップで特定された発生時刻を、前記時間特定ステップで特定された時間だけ前の時刻に変更する訂正ステップとを有することを特徴とする時刻訂正方法を提供する。この時刻訂正方法によれば、上記の時刻受取装置により得られる効果と同様の効果が得られる。
【発明を実施するための最良の形態】
【００２０】
以下、図面を参照して、本発明の実施の形態について説明する。各図において、共通する部分には、同一の符号が付されている。なお、本発明は、以下に説明する各実施の形態に限定されるものではなく、その範囲には、これらの形態を変形して得られる各種の形態も含まれる。
【００２１】
＜１．第１の実施の形態＞
＜１−１．通信システム１＞
図１は、本発明の第１の実施の形態に係る通信システム１の構成を示すブロック図である。通信システム１は、被験者の生体情報を測定して出力する測定器１０と、測定器１０から生体情報を受け取って一時的に記憶する受信記憶装置２０と、受信記憶装置２０から生体情報を受け取って蓄積するＰＣ３０を有する。生体情報は、生体（被験者）の状態を示す情報であり、具体的には、尿糖値である。
【００２２】
＜１−２．測定器１０＞
図２は、測定器１０の構成を示すブロック図である。測定器１０は、使用者（被験者）に携帯される小型のコンピュータであり、センサ１０１、増幅器１０２、Ａ／Ｄ変換器１０３、記憶部１０４、送信部１０５、表示部１０６、測定スイッチ１０７、送信スイッチ１０８、水晶発振子１０９およびマイコン１１０を備える。また、測定器１０は、着脱自在に電池１１１を備える。測定器１０の各部の電源は、電池１１１のみである。電池１１１は、具体的にはコイン型電池である。
【００２３】
センサ１０１は、被験者の生態情報を測定し、測定結果（測定値）を示す信号を出力する。具体的には、センサ１０１は、被験者の尿中のグルコース濃度、すなわち尿糖値を測定し、測定値を示すアナログ信号を出力する。この測定が、予め定められたイベントに相当し、測定結果が、当該イベントの結果に相当する。増幅器１０２は、センサ１０１から出力された信号を増幅する。Ａ／Ｄ変換器１０３は、増幅器１０２に増幅された信号をデジタル信号に変換して出力する。
【００２４】
送信部１０５は、データを片方向通信方式で送信することによって当該データが示す情報を出力する片方向送信部であり、具体的には赤外光を発する赤外線発光部を備える。以降、送信部１０５が準拠している片方向通信方式を「第１通信方式」と呼ぶ。表示部１０６は、マイコン１１０から供給される画像データで示される画像を表示するものであり、具体的には、小型の液晶ディスプレイである。
【００２５】
測定スイッチ１０７および送信スイッチ１０８は、それぞれ、使用者に操作されるスイッチであり、操作されると、操作内容に応じた信号を出力する。測定スイッチ１０７は、使用者がセンサ１０１による測定の開始指示を測定器１０へ入力するためのものである。つまり、測定器１０は、予め定められたイベントが使用者による操作を契機として発生するコンピュータである。送信スイッチ１０８は、使用者が生体情報の送信の開始指示を測定器１０へ入力するためのものである。水晶発振子１０９は、電池１１１から電力が供給されると、クロック信号の出力を開始する。
【００２６】
マイコン１１０は、ＣＰＵ（中央処理装置）、ＲＯＭ（Read Only Memory）、ＲＡＭ（Randon Access Mmory）および周辺ＬＳＩ（大規模集積回路）を一つのチップに実装したマイクロコンピュータ、いわゆるワンチップ・マイコンである。ＲＯＭには、測定器１０を、測定結果に時刻を付与する時刻付与装置として機能させるためのプログラム１０Ｐが書き込まれている。マイコン１１０は、電池１１１から電力が供給されると、すなわち十分な残量の電池１１１が測定器１０に装着されると、水晶発振子１０９からのクロック信号を用いて、プログラム１０Ｐを実行する。これにより、マイコン１１０は、電池１１１から電力が供給されている場合にのみ、クロック信号に基づいて１秒間隔で所定のイベントを発生させる一方、後述の測定時刻付与処理を行う。
【００２７】
記憶部１０４は、書き込まれたデータを保持することによって当該データが示す情報を記憶するものであり、具体的にはＥＥＰＲＯＭ（Erasable Programmable ROM）等の不揮発性メモリである。記憶部１０４は、マイコン１１０のＲＡＭとともに、付与記憶部として機能する。記憶部１０４の記憶領域は、測定領域ＭＡ１、電源投入時刻領域ＭＡ２、最終時刻領域ＭＡ３および未出力フラグＦＬを含む。
【００２８】
測定結果領域ＭＡ１は、測定結果と、この測定結果が得られた測定が行われた時刻（以降、「測定時刻（発生時刻）」という）とを含む測定履歴の記憶に用いられる。電源投入時刻領域ＭＡ２は、電池１１１が装着された時刻、すなわち電源投入時刻（開始時刻）の記憶に用いられる。最終時刻領域ＭＡ３は、付与計時部の計時の停止直前に記録された測定時刻以降の時刻であって、この停止の前に付与計時部が示した最終時刻の記憶に用いられる。
【００２９】
未出力フラグＦＬは、送信部１０５外へ出力されていない測定結果が記憶されているか否かを示すフラグであり、セットされている場合（所定のデータを保持している場合）には、送信部１０５外へ出力されていない測定結果が記憶されていることを示し、リセットされている場合（所定のデータを保持していない場合）には、送信部１０５外へ出力されていない測定結果が記憶されていないことを示す。測定器１０の使用開始前には、未出力フラグＦＬはリセットされている。
【００３０】
＜１−３．受信記憶装置２０＞
図３は、受信記憶装置２０の構成を示すブロック図である。受信記憶装置２０は、使用者（被験者）に携帯される小型のコンピュータであり、受信部２０１、記憶部２０２、通信インターフェイス２０３、報知部２０４、水晶発振子２０５およびマイコン２０６を備える。また、受信記憶装置２０は、着脱自在に電池２０７を備える。受信記憶装置２０の各部の電源は、電池２０７のみである。電池２０７は、具体的にはコイン型電池である。
【００３１】
受信部２０１は、データを受信して当該データが示す情報を入力する受取受信部であり、具体的にはデータを第１通信方式で受信して当該データが示す情報を入力する片方向受信部であり、より具体的には赤外光を受ける赤外線受光部を備える。記憶部２０２は、書き込まれたデータを保持することによって当該データが示す情報を記憶するものであり、具体的にはＥＥＰＲＯＭ等の不揮発性メモリである。
【００３２】
通信インターフェイス２０３は、データを双方向通信方式で送受信することによって情報を入出力する送受信部であり、より具体的にはＵＳＢインターフェイスである。通信インターフェイス２０３は、データを受け取ることによって当該データが示す情報を入力する受取入力部、およびデータを送出して当該データが示す情報を出力する受取出力部として機能する。
【００３３】
報知部２０４は、マイコン２０６からの指示に従って情報を報知するものであり、具体的には一または複数のＬＥＤを備える。水晶発振子２０５は、電池２０７から電力が供給されると、クロック信号の出力を開始する。水晶発振子２０５と水晶発振子１０９の発振周波数は同一であっても異なっていてもよい。
【００３４】
マイコン２０６は、ワンチップ・マイコンであり、そのＲＯＭには、受信記憶装置２０を、測定結果に付与された時刻を受け取る時刻受取装置および当該時刻を訂正する時刻訂正装置として機能させるためのプログラム２０Ｐが書き込まれている。マイコン２０６のＲＡＭは、記憶部２０２とともに、受取記憶部として機能する。マイコン２０６は、電池２０７から電力が供給されると、水晶発振子２０５からのクロック信号を用いて、プログラム２０Ｐを実行する。これにより、マイコン２０６は、クロック信号に基づいた計時を行って時刻を示す受取計時部として機能する一方、後述の測定時刻訂正処理を行う。また、プログラム２０Ｐを実行中のマイコン２０６は、通信インターフェイス２０３と後述の通信インターフェイス３０１とがＵＳＢケーブルを介して互いに接続されると、後述の第１同期処理を行う。
【００３５】
＜１−４．ＰＣ３０＞
図４は、ＰＣ３０の構成を示すブロック図である。ＰＣ３０は、パーソナルコンピュータであり、通信インターフェイス３０１，３０７、記憶部３０２、表示部３０３、操作部３０４、ＲＴＣ３０５、ＣＰＵ３０６および主電源（図示略）を有する。
【００３６】
通信インターフェイス３０１は、双方向通信方式でデータを送受信して当該データが示す情報を送受信する送受信部であり、具体的にはＵＳＢインターフェイスである。通信インターフェイス３０１は、データを送出して当該データが示す情報を出力する基準出力部として機能する。
【００３７】
記憶部３０２は、書き込まれたデータを保持することによって当該データが示す情報を記憶するものであり、ＲＯＭ、ＲＡＭおよびハードディスクを含む。ＲＯＭには、ＩＰＬ（Initial Program Loader）が記憶されている。ハードディスクには、オペレーティングシステムを実現するためのプログラムと、ＰＣ３０を、測定履歴を蓄積する蓄積装置および受取計時部の時刻合わせを行う時刻合わせ装置として機能させるためのプログラム３０Ｐが記憶される。ハードディスクには、測定履歴が蓄積される。
【００３８】
表示部３０３は、ＣＰＵ３０６から供給される画像データで示される画像を表示するものであり、具体的には液晶ディスプレイである。操作部３０４は、人に操作され、操作内容に応じた信号を出力するものであり、具体的にはキーボードおよびポインティングデバイス（例えばマウス）を備える。
【００３９】
ＲＴＣ３０５は、計時を行って時刻を示す基準計時部として機能し、電池を内蔵している。つまり、ＲＴＣ３０５は、主電源が投入されていなくとも、計時を継続することができる。通信インターフェイス３０７は、双方向通信方式でデータを送受信して当該データが示す情報を送受信する送受信部であり、インターネットに接続され、インターネット経由でデータを送受信する。
【００４０】
ＣＰＵ３０６は、主電源が投入されると、ＩＰＬを実行し、これによってオペレーティングシステムを実現するためのプログラムを実行する。このオペレーティングシステムでは、ＣＰＵ３０６は、通信インターフェイス３０７を用いて、ＮＴＰに準拠した通信を行い、正しい時刻を示すようにＲＴＣ３０５を自動的に設定することができる。つまり、ＣＰＵ３０６は、正しい時刻を示すように基準計時部を設定する基準設定部として機能する。また、オペレーティングシステムを実現したＣＰＵ３０６は、通信インターフェイス３０１と通信インターフェイス２０３とがＵＳＢケーブルを介して互いに接続されると、プログラム３０Ｐを自動的に実行する。これにより、ＣＰＵ３０６は、後述の第２同期処理を行う。
【００４１】
＜１−５．測定時刻付与処理＞
図５および図６は、測定器１０のマイコン１１０が行う測定時刻付与処理の流れを示すフローチャートの前半を示す図であり、図６は当該フローチャートの後半を示す図であり、前半と後半は、接続点ＡおよびＢで接続される。
【００４２】
測定時刻付与処理では、マイコン１１０は、まず、最終時刻が記憶されているか否かを判定する（Ｓ１）。具体的には、最終時刻領域ＭＡ３を参照し、時刻を示すデータが保持されているか否かを判定する。ここでは、実行中の測定時刻付与処理が、初回の測定時刻付与処理であるものとして、以降の説明を行う。
【００４３】
初回の測定時刻付与処理では、最終時刻が記憶されていないから、ステップＳ１の判定結果は「ＮＯ」となる。したがって、マイコン１１０は、ｍに０を代入する（Ｓ２）。ｍは、付与計時部が示す時刻（ただし、単位は「分」）を示す変数であり、その実体は、マイコン１１０内の書き換え可能な記憶領域である。上記の代入により、ｍが示す時刻は０分となる。次にマイコン１１０は、ｍを電源投入時刻として記録する（Ｓ３）。具体的には、ｍと同じ時刻を示すデータを電源投入時刻領域ＭＡ２に上書き方式で書き込む。
【００４４】
次にマイコン１１０は、１分が経過したか否かを判定する（Ｓ４）。具体的には、マイコン１１０は、１秒間隔で発生する所定のイベントの発生回数をカウントしており、ステップＳ４の判定結果は、カウント値が６０の倍数になったときに「ＹＥＳ」となる。この判定結果が「ＮＯ」の場合、マイコン１１０は、１０分が経過したか否かを判定する（Ｓ６）。ステップＳ６の判定結果は、上記カウント値が６００の倍数になったときに「ＹＥＳ」となる。この判定結果が「ＮＯ」の場合、マイコン１１０は、測定スイッチ１０７が押されたか否かを判定する（Ｓ８）。具体的には、測定スイッチ１０７から信号が供給されたか否かを判定する。この判定結果が「ＮＯ」の場合、マイコン１１０は、送信スイッチ１０８が押されたか否かを判定する（Ｓ１３）。具体的には、送信スイッチ１０８から信号が供給されたか否かを判定する。この判定結果が「ＮＯ」の場合、処理はステップＳ４に戻る。
【００４５】
一方、ステップＳ４、Ｓ６およびＳ８のいずれの判定結果が「ＹＥＳ」となっても、その後の処理は、やがてステップＳ１３へと進む。以上より明らかなように、マイコン１１０は、送信スイッチ１０８が押されるまで、第１ループ処理（Ｓ４〜Ｓ１３）を繰り返し行う。
【００４６】
第１ループ処理において、電源投入時刻またはステップＳ４の判定結果が最後に「ＹＥＳ」となった時刻から１分が経過し、ステップＳ４の判定結果が「ＹＥＳ」となると、マイコン１１０は、ｍをインクリメントする（Ｓ５）。これにより、例えば、０分を示していたｍは、１分を示すようになる。以降、処理はステップＳ６へ進む。以上の説明から明らかなように、マイコン１１０は、計時を行って時刻を示す付与計時部として機能する。
【００４７】
第１ループ処理において、電源投入時刻またはステップＳ６の判定結果が最後に「ＹＥＳ」となった時刻から１０分が経過し、ステップＳ６の判定結果が「ＹＥＳ」となると、マイコン１１０は、時刻記録を行う（Ｓ７）。具体的には、ｍと同じ時刻を示すデータを最終時刻領域ＭＡ３に上書き方式で書き込む。つまり、最終時刻領域ＭＡ３内のデータは、１０分周期で、測定器１０の現在時刻を示すように更新される。なお、最終時刻は、電池１１１による給電が停止して初めて確定するものであり、ステップＳ７で記録される時刻は、最終時刻の候補に過ぎない。以降、処理はステップＳ８へ進む。
【００４８】
第１ループ処理において、測定スイッチ１０７が押されてステップＳ３の判定結果が「ＹＥＳ」となると、マイコン１１０は、未出力の測定結果が記憶されているか否かを判定する（Ｓ９）。具体的には、未出力フラグＦＬがセットされているか否かを判定する。ここでは、未出力フラグＦＬがリセットされているため、ステップＳ９の判定結果は「ＮＯ」となる。したがって、マイコン１１０は、測定履歴および電源投入時刻をクリアする（Ｓ１０）。具体的には、測定結果領域ＭＡ１および電源投入時刻領域ＭＡ２からデータを削除する。
【００４９】
次にマイコン１１０は、測定を行う（Ｓ１１）。具体的には、Ａ／Ｄ変換器１０３からセンサ１０１の測定結果を受け取る。次にマイコン１１０は、測定結果を記録する一方、ｍを最終時刻として記録する（Ｓ１２）。具体的には、付与計時部に示されている時刻（ｍが示す時刻）を測定時刻とし、この測定時刻を示すデータとステップＳ１１で受け取った測定結果を示すデータとを対応付けて測定領域ＭＡ１に書き込む一方、ｍと同じ時刻を示すデータを最終時刻領域ＭＡ３に上書き方式で書き込む。測定結果の記録は、原則として追記方式で行われ、測定領域ＭＡ１の残量が足りなければ上書き方式で行われる。また、ステップＳ１２では、マイコン１１０は、測定結果を表示部１０６に表示させ、未出力フラグＦＬをセットする。
【００５０】
以上の説明から明らかなように、マイコン１１０は、予め定められたイベントが発生すると、その結果と付与計時部が示している発生時刻とを含む発生履歴を付与記憶部に記録するイベント記録部と、発生時刻が記録されると、この発生時刻を最終時刻として上書き方式で記録する一方、周期的に、付与計時部が示している時刻を最終時刻データとして上書き方式で記録する最終時刻記録部として機能する。この最終時刻記録部は、付与計時部の計時の停止直前にイベント記録部が記録させた発生時刻以降の時刻であって計時の停止の前に付与計時部が示した時刻を最終時刻として付与記憶部に記録するものでもある。以降、処理はステップＳ１３へ進む。
【００５１】
第１ループ処理において、送信スイッチ１０８が押されてステップＳ１３の判定結果が「ＹＥＳ」となると、処理は第１ループ処理を抜けて進む。つまり、マイコン１１０は、測定結果毎に第１差分を算出する（Ｓ１４）。具体的には、付与計時部に示されている時刻を送信時刻とし、記憶されている測定結果の各々について、対応する測定時刻と送信時刻との差分を算出して第１差分とし、対応する測定時刻として対応する第１差分を採用する。より具体的には、記憶されている測定時刻を示すデータの各々を、対応する測定結果について算出された第１差分を示すように更新する。
【００５２】
次にマイコン１１０は、電源投入時刻が記憶されているか否かを判定する（Ｓ１５）。具体的には、電源投入時刻領域ＭＡ２を参照し、時刻を示すデータが保持されているか否かを判定する。ここでは、ステップＳ１０で電源投入時刻がクリアされているから、ステップＳ１５の判定結果は「ＮＯ」となる。したがって、マイコン１１０は、記憶されている測定履歴（測定結果および第１差分）と、ステップＳ１４で定められた送信時刻とを、送信部１０５に一括して出力させる（Ｓ１６）。また、ステップＳ１６では、マイコン１１０は、未出力フラグＦＬをリセットする。以降、処理は、ステップＳ４に戻る。
【００５３】
一方、図５および図６から明らかなように、ステップＳ４、Ｓ６、Ｓ８、Ｓ９およびＳ１５のいずれの判定結果が「ＹＥＳ」となっても、その後の処理は、やがてステップＳ４に戻る。以上より明らかなように、マイコン１１０は、電池１１１からの給電が停止するまで、第１ループ処理を含む第２ループ処理を繰り返し行う。
【００５４】
ここで、第２ループ処理が繰り返し行われている間に、図７に示すようにイベントが発生したものとする。すなわち、１回目の測定（Ｓ１１）、２回目の測定（Ｓ１１）、１回目の送信（Ｓ１６）、３回目の測定（Ｓ１１）および時刻記録（Ｓ７）が順に行われ、その直後に電池切れが起こったものとする。測定結果は、１回目の測定ではＤ１、２回目の測定ではＤ２、３回目の測定ではＤ３であり、ｍの値は、１回目の測定時にはｍ１、２回目の測定時にはｍ２、１回目の送信時にはｍＴ１、３回目の測定時にはｍ３、時刻記録ではｍＢ１である。
【００５５】
上記の電池切れの際には、最終時刻領域ＭＡ３に、付与計時部の計時の停止直前に記憶された測定時刻以降の時刻であって、この停止の前に付与計時部が示した時刻を示すデータが保持されている。このデータは最終時刻データであり、このデータが示す時刻は最終時刻であり、具体的にはｍＢ１である。また、上記の電池切れの際には、未送信の一つの測定履歴が記憶されており、未出力フラグＦＬがセットされている。この測定履歴は、測定結果としてＤ３を、測定時刻としてｍ３を含んでいる。
【００５６】
次に、図７に示すように、使用者が、電池交換を行い、十分な残量の電池１１１を測定器１０に装着したものとする。これにより、第２回の測定時刻付与処理が開始する。第２回の測定時刻付与処理では、最終時刻が記憶されているから、図５のステップＳ１の判定結果が「ＹＥＳ」となる。したがって、マイコン１１０は、この最終時刻をｍに代入する（Ｓ１７）。この代入により、付与計時部が示す時刻、すなわちｍの値は、図７に示すように、ｍＢ１となる。したがって、続くステップＳ３では、ｍＢ１が電源投入時刻として記録される。つまり、マイコン１１０は、付与計時部が計時を再開すると、最終時刻が記憶されている場合に、最終時刻を開始時刻として付与記憶部に記録する開始時刻記録部として機能する。
【００５７】
次にマイコン１１０は、初回の測定時刻付与処理と同様に、第１ループ処理（Ｓ４〜Ｓ１３）を繰り返し行う。ここで、ステップＳ６の判定結果が「ＹＥＳ」となる前に、測定スイッチ１０７が押されたものとする。これにより、ステップＳ８の判定結果が「ＹＥＳ」となり、処理はステップＳ９へ進む。この時点では、未出力フラグＦＬがセットされているから、ステップＳ９の判定結果は「ＹＥＳ」となる。したがって、測定履歴および電源投入時刻がクリアされることなく、ステップＳ１１およびＳ１２の処理が順に行われる。この結果、４回目の測定が行われ、図７に示すように、測定結果としてＤ４が記録され、測定時刻（ｍの値）としてｍ４が記録される。
【００５８】
そして、ステップＳ６の判定結果が「ＹＥＳ」となる前に、送信スイッチ１０８が押されたものとする。これにより、ステップＳ１３の判定結果が「ＹＥＳ」となり、処理は第１ループ処理を抜けて進む。つまり、ステップＳ１４およびＳ１５の処理が順に行われる。この時点では、電源投入時刻が記憶されているから、ステップＳ１５の判定結果は「ＹＥＳ」となる。したがって、マイコン１１０は、第２差分を算出する（Ｓ１８）。具体的には、ステップＳ１４で定めた送信時刻と電源投入時刻との差分を算出して第２差分とし、電源投入時刻領域ＭＡ２内のデータを、第２差分を示すように更新する。
【００５９】
次にマイコン１１０は、記憶されている測定履歴（測定結果および第１差分）と、ステップＳ１８で算出した第２差分と、ステップＳ１４で定められた送信時刻とを、送信部１０５に一括して出力させる（Ｓ１９）。つまり、マイコン１１０は、発生履歴が記憶されているときに操作部から所定の信号が出力されると、記憶されている発生履歴を片方向送信部に一括して出力させる一括送信制御部と、開始時刻が記憶されているときに操作部から所定の信号が出力されると、開始時刻を片方向送信部に出力させる開始時刻送信制御部と、所定の条件が充たされると、付与計時部が示している送信時刻を片方向送信部に出力させる送信時刻送信制御部として機能する。
【００６０】
また、ステップＳ１９では、マイコン１１０は、未出力フラグＦＬをリセットする。以降、処理はステップＳ４に戻り、第１ループ処理が繰り返し行われる。以上の説明より明らかなように、マイコン１１０は、付与計時部が計時を再開すると、記憶されている最終時刻を開始時刻として付与記憶部に記録し、その後、記憶されている発生履歴と開始時刻とを片方向送信部に一括して出力させている。
【００６１】
次に測定スイッチ１０７が押された場合、未出力フラグＦＬはリセットされているから、ステップＳ９の判定結果が「ＮＯ」となり、測定履歴および電源投入時刻がクリアされる（Ｓ１０）。したがって、その後に、送信スイッチ１０８が押された場合には、ステップＳ１５の判定結果が「ＮＯ」となり、ステップＳ１６の処理が行われる。つまり、初回の測定時刻付与処理と同様の流れとなる。
【００６２】
＜１−６．測定時刻訂正処理＞
図８は、受信記憶装置２０のマイコン２０６が行う測定時刻訂正処理の流れを示すフローチャートである。測定時刻訂正処理では、マイコン１１０は、まず、一括受信処理を試行する（Ｓ２１）。ここでいう一括受信処理とは、測定器１０から出力された情報を受信部２０１に一括して入力させる処理であり、入力された情報はマイコン１１０内のＲＡＭに一時的に記憶される。一括受信処理が正常終了した場合、または入力すべき情報が測定器１０から出力されずに一括受信処理が異常終了した場合には、処理はステップＳ２２へ進む。
【００６３】
ステップＳ２２では、マイコン２０６は、測定器１０から情報を入力したか否か、すなわち一括受信処理が正常終了したか否かを判定する。この判定結果が「ＮＯ」の場合、処理はステップＳ２１に戻る。つまり、マイコン２０６は、一括受信処理が正常終了するまで、一括受信処理を試行する。一方、ステップＳ２２の判定結果が「ＹＥＳ」となると、マイコン２０６は、ステップＳ２１で入力した情報（以降、「第１入力情報」という）に第２差分が含まれているか否を判定する（Ｓ２３）。
【００６４】
例えば、正常終了した一括受信処理が、図７の１回目の送信に対応するものの場合、ステップＳ２３の判定結果は「ＮＯ」となる。この場合、マイコン２０６は、第１入力情報に含まれている測定結果（Ｄ１，Ｄ２）とその測定時刻（ｍ１，ｍ２）とを一対一で対応付けて記憶部２０２に記録する（Ｓ２９）。具体的には、第１入力情報に含まれている測定結果（Ｄ１，Ｄ２）毎に、対応する第１差分（ｍＴ１−ｍ１，ｍＴ１−ｍ２）と受信時刻（Ｒ１）とに基づいて測定時刻（Ｒ１−（ｍＴ１−ｍ１），Ｒ１−（ｍＴ１−ｍ２））を算出し、互いに対応する測定結果（Ｄ１，Ｄ２）および測定時刻（Ｒ１−（ｍＴ１−ｍ１），Ｒ１−（ｍＴ１−ｍ２））を示すデータを記憶部２０２に書き込む。次にマイコン２０６は、送信時刻（ｍＴ１）および受信時刻（Ｒ１）を記録する（Ｓ３０）。以降、処理はステップＳ２１に戻る。
【００６５】
また例えば、正常終了した一括受信処理が、図７の２回目の送信に対応するものの場合、ステップＳ２３の判定結果は「ＹＥＳ」となる。この場合、マイコン２０６は、第１入力情報に第２差分よりも大きい第１差分が含まれているか否かを判定する（Ｓ２４）。この例では、第２差分がｍＴ２−ｍＢ１となり、第１差分がｍＴ２−ｍ３およびｍＴ２−ｍ４となる。ｍＴ２−ｍ３≧ｍＴ２−ｍＢ１であるから、ステップＳ２４の判定結果は「ＹＥＳ」となる。したがって、マイコン２０６は、ステップＳ２５〜Ｓ３０の処理を順に行う。なお、ステップＳ２４の判定結果が「ＮＯ」の場合、マイコン２０６は、ステップＳ２９およびＳ３０の処理を順に行う。
【００６６】
ステップＳ２５では、マイコン２０６は、受取計時部の計時に基づいた時間である受信側経過時間を算出する。具体的には、受取計時部が示している時刻（Ｒ２）を今回受信時刻とし、前回の一括受信処理で入力されて記録された受信時刻（Ｒ１）を前回受信時刻とし、両時刻の差分を求めて受信側経過時間（ΔＲ＝Ｒ２−Ｒ１）とする。
【００６７】
ステップＳ２６では、マイコン２０６は、付与計時部の計時に基づいた時間である送信側経過時間を算出する。具体的には、第１入力情報に含まれている送信時刻（ｍＴ２）を今回送信時刻とし、前回の一括受信処理で入力されて記録された送信時刻（ｍＴ１）を前回受信時刻とし、両時刻の差分を求めて送信側経過時間（Δｍ＝ｍＴ２−ｍＴ１）とする。
【００６８】
ステップＳ２７では、マイコン２０６は、付与計時部の計時が停止していた時間、すなわち停止時間を算出する。具体的には、送信側経過時間と受信側経過時間との差分を求めて停止時間（ｘ＝ΔＲ−Δｍ）とする。ステップＳ２８では、マイコン２０６は、第２差分よりも大きい第１差分に停止時間を加算して当該第１差分を訂正する。この例では、３回目の測定に対応する第１差分（ｍＴ２−ｍ３）に停止時間（ｘ）が加算され、この第１差分がｍＴ２−ｍ３＋ｘに訂正される。
【００６９】
以降、ステップＳ２９およびＳ３０の処理が順に行われる。この例では、第１入力情報に含まれている測定結果（Ｄ３，Ｄ４）毎に、対応する第１差分（ｍＴ２−ｍ３＋ｘ，ｍＴ２−ｍ４）と受信時刻（Ｒ２）とに基づいて測定時刻（Ｒ２−（ｍＴ２−ｍ３＋ｘ），Ｒ２−（ｍＴ２−ｍ４））が算出され、測定結果（Ｄ３，Ｄ４）と測定時刻（Ｒ２−（ｍＴ２−ｍ３＋ｘ），Ｒ２−（ｍＴ２−ｍ４））とが一対一で対応付けられて記憶部２０２に記録され、今回の送信時刻（ｍＴ２）が送信時刻として、今回の受信時刻（Ｒ２）が受信時刻として記憶部２０２に記録される（Ｓ３０）。以降、処理はステップＳ２１に戻る。
【００７０】
つまり、ステップＳ２４〜Ｓ２９では、マイコン２０６は、一括受信処理で開始時刻とともに入力された発生時刻のうち当該開始時刻よりも前のものを特定し、特定した発生時刻が入力された一括受信処理が行われる前に入力された送信時刻と、当該送信時刻が入力されたときに受取計時部が示していた受信時刻と、当該一括受信処理以降の一括受信処理で入力された送信時刻と、当該送信時刻が入力されたときに受取計時部が示していた受信時刻とに基づいて、付与計時部が停止していた時間を特定し、特定した発生時刻を、特定した時間だけ前の時刻に変更している。
【００７１】
ここで、より具体的な例に基づいて、一つの測定時刻の訂正に着目し、ステップＳ２５〜Ｓ２９の処理について検証する。具体的には、図７の３回目の測定の測定時刻の訂正に着目する。前提として、図７において、１回目の送信が２００７年７月１日午後０時０分に行われ、そのときの測定器１０内のｍの値（ｍＴ１）が１００００であったとする。そして、このときの受信記憶装置２０内の受取計時部が示している受信時刻（Ｒ１）は２００７年７月１日午後０時０分であったとする。
【００７２】
そして、３回目の測定が２００７年７月２日午後０時０分に行われ、そのときのｍの値（ｍ３）が１１４４０（＝１００００＋１（日）×２４（時間）×６０（分））であり、時刻記録が２００７年７月３日午後０時０分に行われ、そのときのｍの値（ｍＢ１）が１２８８０（＝１００００＋２（日）×２４（時間）×６０（分））であり、電池交換が２００７年７月４日午後０時０分に行われたとする。このときのｍの値は、１日前と同じ、ｍＢ１＝１２８８０となる。
【００７３】
そして、４回目の測定が２００７年７月５日午後０時０分に行われ、２回目の送信が２００７年７月６日午後０時０分に行われたとする。このときのｍの値（ｍＴ２）は、１５７６０（＝１２８８０＋２（日）×２４（時間）×６０（分））となる。受取計時部は、２００７年７月１日午後０時０分以降、途切れることなく計時を続けているから、このときに受取計時部が示している送信時刻（Ｒ２）は、２００７年７月６日午後０時０分となる。
【００７４】
そして、ステップＳ２５では、ΔＲ＝Ｒ２−Ｒ１が求められる。Ｒ１は２００７年７月１日午後０時０分であり、Ｒ２は２００７年７月６日午後０時０分であるから、ΔＲは５日となる。５日をｍの単位系に合わせると、５×２４（時間）×６０（分）＝７２００である。次にステップＳ２６では、Δｍ＝ｍＴ２−ｍＴ１＝１５７６０−１００００＝５７６０が求められる。次にステップＳ２７では、ｘ＝ΔＲ−Δｍ＝７２００−５７６０＝１４４０が求められる。
【００７５】
次にステップＳ２８では、３回目の測定のときの正しい第１差分を求めるために、３回目の測定のときの第１差分（ｍＴ２−ｍ３）にｘを加算する。３回目の測定のときの第１差分（ｍＴ２−ｍ３）は１５７６０−１１４４０＝４３２０であるから、４３２０＋１４４０＝５７６０が、３回目の測定のときの正しい第１差分となる。次にステップＳ２９では、現在の時刻、すなわち受取計時部が示している時刻（Ｒ２＝２００７年７月６日午後０時０分）から５７６０分だけ前の時刻、すなわち２００７年７月２日午後０時０分が、３回目の測定のときの測定時刻として算出される。
【００７６】
以上の説明から明らかなように、マイコン２０６が、一括受信処理を繰り返し行う一括受信制御部と、一括受信処理で入力された発生履歴を受取記憶部に記録する発生履歴記録部と、開始時刻とともに入力された発生時刻のうち、当該開始時刻よりも前のものに対応付けて、当該開始時刻が入力された一括受信処理が行われる前に入力された送信時刻と、当該送信時刻が入力されたときに受取計時部が示していた受信時刻と、当該一括受信処理以降の一括受信処理で入力された送信時刻と、当該送信時刻が入力されたときに受取計時部が示していた受信時刻とを、受取記憶部に記録する受取記録部として機能する。
【００７７】
＜１−７．第１同期処理および第２同期処理＞
図９は、受信記憶装置２０のマイコン２０６が行う第１同期処理の流れを示すフローチャートであり、図１０は、ＰＣ３０のＣＰＵ３０６が行う第２同期処理の流れを示すフローチャートである。第１同期処理および第２同期処理は、いずれも、受信記憶装置２０の通信インターフェイス２０３とＰＣ３０の通信インターフェイス３０１との接続を契機に開始する。これらの処理により、受信記憶装置２０に記憶されている測定履歴がＰＣ３０に蓄積され、受信記憶装置２０の受取計時部が正しい時刻を示すように設定される。以下、詳細に説明する。
【００７８】
第２同期処理では、ＣＰＵ３０６は、まず、測定履歴の入力処理を試行する（Ｓ４１）。測定履歴の入力処理は、受信記憶装置２０の通信インターフェイス２０３から出力された全ての測定履歴を通信インターフェイス３０１に入力させる処理である。この処理は、通信インターフェイス３０１が、通信インターフェイス２０３から出力された全ての測定履歴を入力した場合や、測定履歴を記憶していない旨の空通知を入力した場合に正常終了し、その他の場合に異常終了する。正常終了であっても異常終了であっても、処理はステップＳ４２へ進む。
【００７９】
ステップＳ４２では、ＣＰＵ３０６は、空通知を入力したか否かを判定する（Ｓ４２）。この判定結果が「ＮＯ」の場合、ＣＰＵ３０６は、測定履歴を入力したか否かを判定する（Ｓ４３）。この判定結果が「ＮＯ」の場合、処理はステップＳ４１に戻る。つまり、ＣＰＵ３０６は、測定履歴の入力処理が正常終了するまで、または空通知が入力されるまで、測定履歴の入力処理の試行を繰り返し行う。
【００８０】
一方、第１同期処理では、マイコン２０６は、測定履歴が記憶されているか否かを判定する（Ｓ５１）。この判定結果が「ＮＯ」の場合、マイコン２０６は、通信インターフェイス２０３に空通知を出力させる（Ｓ５７）。ステップＳ５１の判定結果が「ＹＥＳ」の場合、マイコン２０６は、測定履歴を出力する（Ｓ５２）。具体的には、記憶部２０２に記憶されている全ての測定履歴を通信インターフェイス２０３に出力させる。
【００８１】
このようにして受信記憶装置２０から測定履歴が出力されると、第２同期処理において、ステップＳ４１の処理が正常終了する。そして、ステップＳ４３の判定結果が「ＹＥＳ」となる。したがって、ＣＰＵ３０６は、測定履歴を蓄積する（Ｓ４４）。具体的には、ステップＳ４１で入力した全ての測定履歴を記憶部３０２に記憶させる。より具体的には、これらの測定履歴を示すデータを、記憶部３０２のハードディスクに、追記方式で書き込む。
【００８２】
一方、第１同期処理では、マイコン２０６は、測定履歴を出力した後、測定履歴をクリアする（Ｓ５３）。具体的には、記憶部２０２から測定履歴を示すデータを削除する。ステップＳ５３またはＳ５７の処理が終了すると、マイコン２０６は、時刻の入力処理を試行する（Ｓ５４）。時刻の入力処理は、ＰＣ３０の通信インターフェイス３０１から出力された時刻を通信インターフェイス２０３に入力させる処理である。この処理は、通信インターフェイス２０３が通信インターフェイス３０１から出力された時刻を入力した場合に正常終了し、その他の場合に異常終了する。時刻の入力処理が正常終了または異常終了すると、マイコン２０６は、時刻を入力したか否かを判定する（Ｓ５５）。つまり、ステップＳ５４の時刻の入力処理が正常終了したか否かを判定する。この判定結果が「ＮＯ」の場合、処理はステップＳ５４に戻る。つまり、マイコン２０６は、時刻の入力処理が正常終了するまで、その試行を繰り返す。
【００８３】
第２同期処理では、ステップＳ４４の処理が終了すると、またはステップＳ４２の判定結果が「ＹＥＳ」となると、ＣＰＵ３０６は、時刻を出力する（Ｓ４５）。具体的には、ＲＴＣ３０５が示す時刻を通信インターフェイス３０１に出力させる。つまり、ＣＰＵ３０６は、基準計時部が示す時刻を基準出力部に出力させる出力制御部として機能する。
【００８４】
このようにしてＰＣ３０から時刻が出力されると、第１同期処理において、ステップＳ５４の処理が正常終了する。つまり、マイコン２０６は、基準出力部から出力された時刻を受取入力部に入力させる入力制御部として機能する。そして、ステップＳ５５の判定結果が「ＹＥＳ」となる。したがって、マイコン２０６は、入力された時刻に基づいて、正しい時刻を示すように、受取計時部を設定する（Ｓ５６）。つまり、マイコン２０６は、受取入力部が入力した時刻に基づいて、正しい時刻を示すように、受取計時部を設定する受取設定部として機能する。なお、受取計時部の設定では、入力された時刻を受取計時部が示すようにしてもよいし、通信遅延を考慮して、入力された時刻よりも後の時刻を受取計時部が示すようにしてもよい。
【００８５】
＜１−８．まとめ＞
以上、説明したように、測定器１０は、測定が行われると、その測定結果と測定器１０内の付与計時部が示している測定時刻とを含む測定履歴を記録し、所定の操作が行われると、記憶している測定履歴と付与計時部が示している送信時刻とを一括出力する。一方、受信記憶装置２０は、測定器１０からの情報を一括入力し、入力した情報と受信記憶装置２０内の受取計時部が示している受信時刻とを記録する。また、測定が行われ、付与計時部の計時が停止して再開し、その後に所定の操作が行われて、測定器１０が、停止直前に記録された測定時刻以降の時刻であって停止の前に付与計時部が示した電源投入時刻を含めた一括出力を行うと、受信記憶装置２０では、この時刻と前回および今回の送信時刻および受信時刻とに基づいて、測定時刻の訂正が行われる。よって、通信システム１によれば、測定器１０によって、付与計時部の計時の停止に起因して不正な測定時刻が付与された場合にも、これを訂正することができる。
【００８６】
また、通信システム１では、受信記憶装置２０が、測定器１０の送信部１０５が準拠している第１通信方式に準拠した受信部２０１を備えているから、測定器１０と受信記憶装置２０との間に、通信方式を変換する中継装置を設ける必要がない。なお、通信システム１を変形し、測定器と受信記憶装置とが上記の中継装置を介して通信する形態としてもよい。
【００８７】
また、通信システム１では、測定履歴がＰＣ３０に蓄積されるから、受信記憶装置２０に要求される記憶容量は少なくなっている。なお、通信システム１を変形し、測定履歴を受信記憶装置に蓄積する形態としてもよいし、測定器１０とＰＣとで通信システムを構成する形態としてもよい。後者の場合、ＰＣに、第１通信方式に準拠した受信部が必要となる。
【００８８】
また、通信システム１では、ＰＣ３０が受信記憶装置２０内の受取計時部の時刻合わせを行うから、受信記憶装置２０の構成の簡素化および小型化や、使用者にかかる負担の軽減が達成されている。また、通信システム１では、ＰＣ３０内の基準計時部の時刻合わせがＮＴＰを用いて自動的に行われるから、使用者にかかる負担がより一層、軽減されている。なお、通信システム１を変形し、使用者が操作部３０４を操作して基準計時部の時刻合わせを行う形態としてもよい。この形態であっても、操作部３０４はキーボードおよびポインティングデバイスを備えており、表示部３０３は表示部１０６に比較して十分に大きいから、使用者にかかる負担は十分に軽減される。
【００８９】
また、通信システム１では、最終時刻の候補の記録が、基本的には、１０分間隔で周期的に行われるから、消費電流が十分に低減されている。また、通信システム１では、測定履歴とともに最終時刻の候補が記録されるから、受信記憶装置２０において正しい発生時刻が正しくない発生時刻とみなされてしまう事態を確実に回避することができる。なお、通信システム１を変形し、最終時刻の候補の記録について、周期的な記録のみを行う形態としてもよい。この場合、上記の事態を確実に回避するには、周期を、ｍの単位時間（１分）以下とする必要がある。また、通信システム１を変形し、最終時刻の候補の記録について、測定履歴とともに行われる記録のみを行う形態としてもよい。もちろん、通信システム１を変形し、これらの形態とは異なる契機に最終時刻の候補を記録する形態としてもよい。
【００９０】
また、通信システム１では、測定器１０の電源は電池１１１のみである。したがって、測定器１０は、十分に小型で携帯性に優れたものとなっている。また、通信システム１では、生体情報の測定が対象とされているから、測定結果に基づく各種の分析において、その測定時刻が訂正されることが極めて重要な意味を持つことになる。なお、上述した実施の形態では、使用者を被験者としたが、使用者以外の人を被験者としてもよいし、人間以外の生体（例えば犬や猫などの動物）を被験者としてもよい。
【００９１】
また、通信システム１では、測定器１０において、測定履歴が、その出力ではなく、その出力後の測定スイッチ１０７の押下をトリガとしてクリアされる。したがって、測定器１０の使用者は、出力済みの測定履歴を、次の測定を行う前に限り、何回でも出力させることができる。これは、測定器１０のような確認応答の受信が不可能な装置において特に有利な特徴である。
【００９２】
また、通信システム１を変形し、生体情報以外の情報を測定する形態としてもよいし、測定以外のイベントを対象としてもよいし、イベントの結果に代えてイベントの内容を蓄積するようにしてもよい。例えば、自動販売機における特定の販売動作の実行をイベントの発生とし、発生したイベントの内容に発生時刻を付与して蓄積するようにしてもよい。
【００９３】
また、通信システム１では、測定器１０における時刻の記録では、単位が分の時刻を使用しているが、他の単位の時刻を使用するようにしてもよい。また、通信システム１では、測定器１０から第１差分および第２差分が出力されるが、これを変形し、測定時刻および電源投入時刻が出力されるようにしてもよい。この場合でも、測定時刻の訂正に必要な情報は受信記憶装置２０に入力されるから、支障はない。
【００９４】
また、通信システム１を変形し、測定器と受信記憶装置との間の通信方式を、有線の通信方式としてもよいし、電波を用いた通信方式としてもよい。また、通信システム１では、受信記憶装置２０における測定時刻の訂正を、測定器１０から情報が渡されたときに行うようにしたが、これを変形し、全ての送信時刻および受信時刻を記憶しておき、ＰＣ３０へ情報を渡すときに、これらに基づいて、受信記憶装置２０において、測定時刻の訂正を行うようにしてもよい。
【００９５】
また、通信システム１では、測定器１０から受信記憶装置２０へ測定履歴が渡される度に送信時刻も渡されるが、これを変形し、所定の条件が充たされた場合にのみ送信時刻が渡される形態としてもよい。この形態であっても、付与計時部が示す時刻（ｍの値）は、その計時が停止されない限り、実際の時の経過に沿って変化するから、受信記憶装置において、一度でも送信時刻が渡されていれば、毎回渡されなくとも、付与計時部が示す時刻（ｍの値）を推定可能である。問題となるのは、送信時刻が渡されてから付与計時部の計時が停止して再開し、その後に測定時刻が渡された場合の当該測定時刻の訂正であるが、この場合であっても、受信記憶装置において、当該測定時刻が渡された後に送信時刻が渡されれば、遡って当該測定時刻を訂正することが可能である。なお、この形態には、通信システム１の形態の他に、測定履歴が渡される回数よりも少ない回数だけ渡される形態や、電源投入直後に一回だけ渡される形態が含まれる。各形態には、測定履歴とともに渡される形態の他に、測定履歴とは別に渡される形態も含まれる。
【００９６】
＜２．第２の実施の形態＞
＜２−１．通信システム２＞
図１１は、本発明の第２の実施の形態に係る通信システム２の構成を示すブロック図である。通信システム２は、測定器１０と、測定器１０から生体情報を受け取って一時的に記憶する受信記憶装置４０と、生体情報を受け取って蓄積するサーバ装置６０と、受信記憶装置４０とサーバ装置６０との間で情報を転送するＰＣ５０とを有する。
【００９７】
＜２−２．受信記憶装置４０＞
図１２は、受信記憶装置４０の構成を示すブロック図である。受信記憶装置４０が図３の受信記憶装置２０と異なる点は、マイコン２０６に代えてマイコン４０６を備える点のみである。マイコン４０６がマイコン２０６と異なる点は、そのＲＯＭが、プログラム２０Ｐに代えてプログラム４０Ｐを記憶している点のみである。プログラム４０Ｐは、受信記憶装置４０を時刻受取装置として機能させるためのプログラムである。マイコン４０６は、プログラム４０Ｐを用いて、受取計時部として機能するとともに、後述の受信記録処理および後述の第１転送処理を行う。
【００９８】
＜２−３．ＰＣ５０＞
図１３は、ＰＣ５０の構成を示すブロック図である。ＰＣ５０が図４のＰＣ３０と異なる点は、記憶部３０２に代えて記憶部５０２を備える点のみである。記憶部５０２が記憶部３０２と異なる点は、プログラム３０Ｐに代えてプログラム５０Ｐを記憶している点のみである。プログラム５０Ｐは、ＰＣ５０を、受信記憶装置４０とサーバ装置６０との間で情報を転送する転送装置として機能させるためのプログラムである。ＣＰＵ３０６は、プログラム５０Ｐを用いて後述の第２転送処理を行う。
【００９９】
＜２−４．サーバ装置６０＞
図１４は、サーバ装置６０の構成を示すブロック図である。サーバ装置６０は、連続稼動を前提としたコンピュータであり、通信インターフェイス６０１、記憶部６０２、ＲＴＣ６０３、ＣＰＵ６０４および主電源（図示略）を有する。通信インターフェイス６０１およびＲＴＣ６０３は、図４の通信インターフェイス３０７およびＲＴＣ３０５と同様であり、通信インターフェイス６０１は、データを受信して当該データが示す情報を入力する訂正受信部およびデータを送出して当該データが示す情報を出力する基準出力部として機能し、ＲＴＣ６０３は、計時を行って時刻を示す基準計時部として機能する。
【０１００】
記憶部６０２のハードウェア構成は、図４の記憶部３０２と同様である。記憶部６０２のＲＯＭにはＩＰＬが記憶されており、記憶部６０２のハードディスクには、オペレーティングシステムを実現するためのプログラムと、サーバ装置６０を、測定時刻を訂正する時刻訂正装置、測定履歴を蓄積する蓄積装置および受取計時部の時刻合わせを行う時刻合わせ装置として機能させるためのプログラム６０Ｐが記憶される。また、記憶部６０２のハードディスクは、書き込まれたデータを保持して当該データが示す情報を記憶する訂正記憶部として機能し、その記憶領域には、測定履歴を蓄積するための記憶領域が含まれている。
【０１０１】
ＣＰＵ６０４は、主電源が投入されると、ＩＰＬを実行し、これによってオペレーティングシステムを実現するためのプログラムを実行する。このオペレーティングシステムでは、ＣＰＵ６０４は、通信インターフェイス６０１を用いて、ＮＴＰに準拠した通信を行い、正しい時刻を示すようにＲＴＣ６０３を自動的に設定することができる。つまり、ＣＰＵ６０４は、正しい時刻を示すように基準計時部を設定する基準設定部として機能する。また、オペレーティングシステムを実現したＣＰＵ６０４は、プログラム６０Ｐを実行する。プログラム６０Ｐを実行中のサーバ装置６０は、ＰＣ５０からの要求を契機として、後述の第３転送処理を行う。
【０１０２】
＜２−５．受信記録処理＞
図１５は、受信記憶装置４０のマイコン４０６が行う受信記録処理の流れを示すフローチャートである。受信記録処理では、マイコン１１０は、まず、一括受信処理を試行する（Ｓ６１）。一括受信処理が正常終了した場合、または入力すべき情報が測定器１０から出力されずに一括受信処理が異常終了した場合には、処理はステップＳ６２へ進む。ステップＳ６２では、マイコン４０６は、測定器１０から情報を入力したか否か、すなわち一括受信処理が正常終了したか否かを判定する。この判定結果が「ＮＯ」の場合、処理はステップＳ６１に戻る。つまり、マイコン４０６は、一括受信処理が正常終了するまで、一括受信処理を試行する。
【０１０３】
一方、ステップＳ６２の判定結果が「ＹＥＳ」となると、マイコン４０６は、入力した情報と、受取計時部が示している受信時刻（例えばＲ１）とを含む情報（以降、「ブロック情報」という）を記憶部２０２に記録する（Ｓ６３）。つまり、マイコン４０６は、一括受信制御部、発生履歴記録部および受取記録部として機能する。以降、処理はステップＳ６１に戻る。
【０１０４】
＜２−６．第１転送処理、第２転送処理および第３転送処理＞
図１６は、受信記憶装置４０のマイコン４０６が行う第１転送処理の流れを示すフローチャートであり、図１７は、ＰＣ５０のＣＰＵ３０６が行う第２転送処理の流れを示すフローチャートであり、図１８は、サーバ装置６０のＣＰＵ６０４が行う第３転送処理の流れを示すフローチャートである。第１転送処理および第２転送処理は、受信記憶装置４０の通信インターフェイス２０３とＰＣ５０の通信インターフェイス３０１との接続を契機に開始する。
【０１０５】
第２転送処理では、ＣＰＵ３０６は、通信コネクションの確立処理を行う（Ｓ８１）。これに呼応して、ＣＰＵ６０４が、第３転送処理を開始し、上記の通信コネクションの確立処理を行う（Ｓ９１）。これらの処理により、ＰＣ５０とサーバ装置６０との間に上記の通信コネクションが確立される。以降、第２転送処理では、ＣＰＵ３０６は、上記の通信コネクションが切断されるまで、上記の通信コネクションを用いて、受信記憶装置４０とサーバ装置６０との間でデータを転送する転送処理を行う（Ｓ８２）。この転送処理では、通信インターフェイス３０１および３０７が用いられる。
【０１０６】
第３転送処理では、ＣＰＵ６０４は、ステップＳ９１の処理を終えると、情報の入力処理が正常終了するまで、または空通知が入力されるまで、ブロック情報の入力処理の試行を繰り返し行う（Ｓ９２、Ｓ９３「ＮＯ」、Ｓ９４「ＮＯ」）。つまり、ＣＰＵ６０４は、時刻付与装置から出力された情報を訂正受信部に入力させる訂正受信制御部として機能する。
【０１０７】
これに対して、第１転送処理では、マイコン４０６は、ブロック情報が記憶部２０２に記憶されているか否かを判定する（Ｓ７１）。この判定結果が「ＹＥＳ」の場合、マイコン４０６は、記憶部２０２に記憶されている一つのブロック情報を通信インターフェイス２０３に出力させ（Ｓ７２）、当該ブロック情報をクリアする（Ｓ７３）。以降、処理はステップＳ７１に戻る。つまり、マイコン４０６は、記憶部２０２に記憶されているブロック情報を一つずつ記録順に送信するものであり、受取記憶部に記憶されている発生履歴、送信時刻および受信時刻を受取出力部に出力させる受取送信制御部として機能する。そして、ステップＳ７１の判定結果が「ＮＯ」となると、マイコン４０６は、通信インターフェイス２０３に空通知を出力させる（Ｓ７７）。
【０１０８】
受信記憶装置４０から出力されたブロック情報は、ＰＣ５０を介して、サーバ装置６０へ転送される。したがって、サーバ装置６０では、第３転送処理において、ブロック情報の入力処理が正常終了し、ステップＳ９４の判定結果が「ＹＥＳ」となる。よって、ＣＰＵ６０４は、図８のステップＳ２３〜Ｓ３０と同様のステップＳ９５〜Ｓ１０２の処理を行う。ステップＳ１０２の処理が終了すると、処理は、ステップＳ９２に戻る。つまり、ＣＰＵ６０４は、空通知を受信するまで、ステップＳ９２、Ｓ９３「ＮＯ」およびＳ９４〜Ｓ１０２の処理を繰り返し行う。
【０１０９】
ステップＳ９５では、ＣＰＵ６０４は、入力したブロック情報（以降、「第２入力情報」という）に第２差分が含まれているか否を判定する。この判定結果が「ＮＯ」の場合、ＣＰＵ６０４は、第２入力情報に含まれている測定結果とその測定時刻とを一対一で対応付けて記憶部６０２に記録し（Ｓ１０１）、第２入力情報に含まれている送信時刻および受信時刻を記憶部６０２に記録する（Ｓ１０２）。つまり、ＣＰＵ６０４は、訂正受信部に入力された発生履歴、送信時刻および受信時刻を訂正記憶部に記録する訂正記録部として機能する。なお、測定時刻は、第２入力情報に含まれている第１差分および送信時刻に基づいて算出される。また、記憶部６０２への情報の記録は、具体的には、当該情報を示すデータを、記憶部６０２のハードディスクに追記方式で書き込むことにより実現される。
【０１１０】
一方、ステップＳ９５の判定結果が「ＹＥＳ」の場合、ＣＰＵ６０４は、第２入力情報に第２差分よりも大きい第１差分が含まれているか否かを判定し（Ｓ９６）、この判定結果が「ＮＯ」の場合、ステップＳ１０１およびＳ１０２の処理を順に行う。一方、ステップＳ９６の判定結果が「ＹＥＳ」の場合、ＣＰＵ６０４は、ステップＳ９７〜Ｓ１０２の処理を順に行う。
【０１１１】
ステップＳ９７では、ＣＰＵ６０４は、受取計時部の計時に基づいた時間である受信側経過時間を算出する。具体的には、第２入力情報に含まれている受信時刻を今回受信時刻とし、前回正常終了した入力処理で入力されたブロック情報に含まれている受信時刻を前回受信時刻とし、両時刻の差分を求めて受信側経過時間とする。
【０１１２】
ステップＳ９８では、ＣＰＵ６０４は、付与計時部の計時に基づいた時間である送信側経過時間を算出する。具体的には、第２入力情報に含まれている送信時刻を今回送信時刻とし、前回正常終了した入力処理で入力されたブロック情報に含まれている送信時刻を前回受信時刻とし、両時刻の差分を求めて送信側経過時間とする。
【０１１３】
ステップＳ９９では、ＣＰＵ６０４は、付与計時部の計時が停止していた時間、すなわち停止時間を算出する。ステップＳ１００では、ＣＰＵ６０４は、第２入力情報に含まれている第１差分のうち、第２入力情報に含まれている第２差分よりも大きいものに、停止時間を加算して、当該第１差分を訂正する。つまり、ＣＰＵ６０４は、訂正記憶部に記憶されている発生履歴に含まれている発生時刻を、訂正記憶部に記憶されている送信時刻および受信時刻に基づいて訂正する訂正部として機能する。以降、ステップＳ１０１およびＳ１０２の処理が順に行われる。
【０１１４】
第１転送処理では、ステップＳ７７の処理が終了すると、マイコン４０６は、時刻の入力処理を試行する（Ｓ７４）。時刻の入力処理が正常終了または異常終了すると、マイコン４０６は、時刻を入力したか否かを判定する（Ｓ７５）。つまり、ステップＳ７４の時刻の入力処理が正常終了したか否かを判定する。この判定結果が「ＮＯ」の場合、処理はステップＳ７４に戻る。つまり、マイコン４０６は、時刻の入力処理が正常終了するまで、その試行を繰り返す。
【０１１５】
一方、第３転送処理では、ステップＳ９３の判定結果が「ＹＥＳ」となると、ＣＰＵ６０４は、時刻を出力する（Ｓ１０３）。具体的には、ＲＴＣ６０３が示す時刻を通信インターフェイス６０１に出力させる。つまり、ＣＰＵ６０４は、基準計時部が示す時刻を基準出力部に出力させる出力制御部として機能する。サーバ装置６０から出力された時刻は、ＰＣ５０を介して、受信記憶装置４０へ転送される。したがって、受信記憶装置４０では、第１転送処理において、ステップＳ７５の処理が正常終了する。よって、マイコン４０６は、入力された時刻に基づいて、正しい時刻を示すように、受取計時部を設定する（Ｓ７６）。
【０１１６】
つまり、マイコン４０６は、基準出力部から出力された時刻を受取入力部に入力させる入力制御部、および、受取入力部が入力した時刻に基づいて、正しい時刻を示すように、受取計時部を設定する受取設定部として機能する。もちろん、受取計時部の設定では、通信遅延を考慮してもよいし、考慮しなくてもよい。そして、第３転送処理では、ＣＰＵ６０４は、通信コネクションの切断処理を行う（Ｓ１０４）。これに呼応して、第２転送処理では、ＣＰＵ６０４は、通信コネクションの切断処理を行う（Ｓ８３）。これらの切断処理により、ステップＳ８１およびＳ９１の処理によって確立された通信コネクションが切断される。
【０１１７】
＜２−７．まとめ＞
以上、説明したように、受信記憶装置４０は、測定器１０からの情報を一括入力し、入力した情報と受信記憶装置４０内の受取計時部が示している受信時刻とを記録する。また、測定が行われ、付与計時部の計時が停止して再開し、その後に所定の操作が行われて、測定器１０が、停止直前に記録された測定時刻以降の時刻であって停止の前に付与計時部が示した電源投入時刻を含めた一括出力を行った場合、サーバ装置６０では、この時刻と前回の一括出力に係るブロック情報および今回の一括出力に係るブロック情報とに基づいて、測定時刻の訂正が行われる。よって、通信システム２には、通信システム１と同様の利点がある。なお、通信システム１に対する各種の変形と同様の変形を通信システム２に施してもよい。
【０１１８】
また、通信システム２では、サーバ装置６０が時刻訂正装置として機能するから、受信記憶装置４０に要求される演算能力を低く抑えることができる。また、通信システム２を変形し、ＰＣ５０が時刻訂正装置、蓄積装置および時刻合わせ装置の少なくとも一つとして機能する形態としてもよい。これらの形態のいずれであっても、受信記憶装置４０に要求される演算能力を低く抑えることができる。これらの形態のうち、ＰＣ５０が時刻訂正装置、蓄積装置および時刻合わせ装置として機能する形態では、サーバ装置６０が不要となる。また、通信システム２を変形し、サーバ装置６０が備える機能を複数のサーバ装置に持たせ、これら複数のサーバ装置をサーバ装置６０に代えて用いるようにしてもよい。
【０１１９】
＜３．第３の実施の形態＞
＜３−１．通信システム３＞
図１９は、本発明の第３の実施の形態に係る通信システム３の構成を示すブロック図である。通信システム３は、測定器１０と、サーバ装置６０と、測定器１０から生体情報を受け取ってサーバ装置６０へ転送する受信転送装置１００とを有する。通信システム３の構成は、通信システム２において受信記憶装置４０およびＰＣ５０に代えて受信転送装置１００を採用することで得られる。
【０１２０】
＜３−２．受信転送装置１００＞
図２０は、受信転送装置１００の構成を示すブロック図である。受信転送装置１００が図１２の受信記憶装置４０と異なる点は、マイコン４０６に代えてマイコン１００６を備える点と、通信インターフェイス２０３に代えて通信インターフェイス１００３を有する点と、記憶部２０２を備えない点と、電池２０７を備えずに図示しない電源を備える点のみである。
【０１２１】
通信インターフェイス１００３は、インターネット経由でデータを送受信可能なものであり、受取出力部および受取入力部として機能する。マイコン１００６がマイコン４０６と異なる点は、そのＲＯＭが、プログラム４０Ｐに代えてプログラム１００Ｐを記憶している点のみである。プログラム１００Ｐは、受信転送装置１００を時刻受取装置として機能させるためのプログラムである。マイコン１００６は、プログラム１００Ｐを用いて、受取計時部として機能するとともに、後述の受信転送処理を行う。
【０１２２】
＜３−３．受信転送処理＞
図２１は、受信転送装置１００のマイコン１００６が行う受信記録処理の流れを示すフローチャートである。受信転送処理では、マイコン１００６は、まず、一括受信処理を試行する（Ｓ１１１）。一括受信処理が正常終了した場合、または入力すべき情報が測定器１０から出力されずに一括受信処理が異常終了した場合には、処理はステップＳ１１２へ進む。ステップＳ１１２では、マイコン１００６は、測定器１０から情報を入力したか否か、すなわち一括受信処理が正常終了したか否かを判定する。この判定結果が「ＮＯ」の場合、処理はステップＳ１１１に戻る。つまり、マイコン１００６は、一括受信処理が正常終了するまで、一括受信処理を試行する。
【０１２３】
一方、ステップＳ１１２の判定結果が「ＹＥＳ」となると、マイコン１００６は、通信コネクションの確立処理を行う（Ｓ１１３）。これに呼応して、ＣＰＵ６０４が、第３転送処理を開始し、上記の通信コネクションの確立処理を行う（図８のＳ９１）。これらの処理により、受信転送装置１００とサーバ装置６０との間に上記の通信コネクションが確立される。以降、受信転送装置１００とサーバ装置６０との間の通信は、この通信コネクションを用いて行われる。
【０１２４】
次にマイコン１００６は、入力した情報と、受取計時部が示している受信時刻（例えばＲ１）とを含むブロック情報を通信インターフェイス１００３に出力させ（Ｓ１１４）、当該ブロック情報をクリアし（Ｓ１１５）、空通知を通信インターフェイス１００３に出力させる（Ｓ１１６）。なお、入力した情報および受取計時部が示している受信時刻は、通信インターフェイス１００３に出力されるまで、マイコン１００６のＲＡＭに一時的に記憶される。したがって、マイコン１００６は、一括受信制御部、発生履歴記録部および受取記録部として機能する。
【０１２５】
一方、サーバ装置６０では、図１８の第３転送処理において、ステップＳ９４の判定結果が一度だけ「ＹＥＳ」となった後にステップＳ９３の判定結果が「ＹＥＳ」となる。ステップＳ９４の判定結果が「ＹＥＳ」となった場合の処理、およびステップＳ９３の判定結果が「ＹＥＳ」となった場合の処理については、通信システム２について前述した通りである。
【０１２６】
受信転送処理では、ステップＳ１１６の処理が終了すると、マイコン１００６は、時刻の入力処理を試行する（Ｓ１１７）。時刻の入力処理が正常終了または異常終了すると、マイコン１００６は、時刻を入力したか否かを判定する（Ｓ１１８）。つまり、ステップＳ１１７の時刻の入力処理が正常終了したか否かを判定する。この判定結果が「ＮＯ」の場合、処理はステップＳ１１７に戻る。つまり、マイコン１００６は、時刻の入力処理が正常終了するまで、その試行を繰り返す。
【０１２７】
ステップＳ１１８の判定結果が「ＹＥＳ」の場合、マイコン１００６は、入力された時刻に基づいて、正しい時刻を示すように、受取計時部を設定する（Ｓ１１９）。つまり、マイコン１００６は、入力制御部および受取設定部として機能する。もちろん、受取計時部の設定では、通信遅延を考慮してもよいし、考慮しなくてもよい。そして、マイコン１００６は、図８のステップＳ１０４の処理に呼応して、通信コネクションの切断処理を行う（Ｓ１２０）。これにより、ステップＳ１１３およびＳ９１の処理によって確立された通信コネクションが切断される。以降、処理はステップＳ１１１に戻る。
【０１２８】
＜３−４．まとめ＞
以上、説明したように、受信転送装置１００は、測定器１０からの情報を一括入力し、入力した情報と受信転送装置１００内の受取計時部が示している受信時刻とをサーバ装置６０へ転送する。また、測定が行われ、付与計時部の計時が停止して再開し、その後に所定の操作が行われて、測定器１０が、停止直前に記録された測定時刻以降の時刻であって停止の前に付与計時部が示した電源投入時刻を含めた一括出力を行った場合、サーバ装置６０では、この時刻と前回の一括出力に係るブロック情報および今回の一括出力に係るブロック情報とに基づいて、測定時刻の訂正が行われる。よって、通信システム３には、通信システム２と同様の利点がある。なお、通信システム１に対する各種の変形と同様の変形を通信システム３に施してもよい。
【０１２９】
また、通信システム３では、ＰＣが不要であるから、ＰＣの操作が苦手な人や、ＰＣを持っていない人であっても、手軽に使用することができる、という利点がある。なお、通信システム３を変形し、サーバ装置６０が備える機能を複数のサーバ装置に持たせ、これら複数のサーバ装置をサーバ装置６０に代えて用いるようにしてもよい。また、通信システム３を変形し、受信転送装置において、マイコンに代えてＣＰＵ、ＲＯＭおよびＲＡＭを採用した形態としてもよい。また、通信システム３を変形し、図２１においてステップＳ１１６を削除して処理がステップＳ１１５の次にステップＳ１１７へ進むようにする一方、図１８においてステップＳ９３を削除して処理がステップＳ９２の次にステップＳ９４へ進むようにするとともにステップＳ１０２の次にステップＳ１０３へ進むようにしてもよい。
【０１３０】
また、通信システム３を変形し、サーバ装置が付与計時部として機能する形態としてもよい。この形態において受信転送装置のマイコンが行う受信転送処理の流れを示すフローチャートの一部を図２２に、この形態においてサーバ装置のＣＰＵが行う第３転送処理の流れを示すフローチャートの一部を図２３に示す。
【０１３１】
この形態では、図２２に示すように、通信コネクションの確立処理を終えると、受信転送装置のマイコンは、一括入力した情報を転送情報として通信インターフェイス１００３に出力させ（Ｓ１２１）、当該転送情報をクリアし（Ｓ１２２）、空通知を通信インターフェイス１００３に出力させる（Ｓ１１６）。つまり、この形態では、受信転送装置は、受取計時部としても、受取記録部としても機能しない。
【０１３２】
この形態において、受取計時部および受取記録部として機能するのは、サーバ装置である。具体的には、図２３に示すように、サーバ装置のＣＰＵは、第３転送処理において、通信コネクションの確立処理を終えると、転送情報の入力処理の試行を行い（Ｓ１２３）、ステップＳ９６の判定結果が「ＹＥＳ」となると、受取計時部が示している時刻を今回受信時刻とし、入力処理が前回正常終了したときに受取計時部が示していた時刻を前回受信時刻とし、両時刻の差分を求めて受信側経過時間とする（Ｓ１２４）。なお、この形態では、サーバ装置のＣＰＵは、ステップＳ１０１の処理を終えると、今回の入力処理で入力した情報に含まれている送信時刻と、今回の入力処理が正常終了したときに受取計時部が示していた時刻とを記憶部６０２に記録する（Ｓ１２５）。
【０１３３】
＜４．第４の実施の形態＞
＜４−１．通信システム４＞
図２４は、本発明の第４の実施の形態に係る通信システム４の構成を示すブロック図である。通信システム４は、図１１の通信システム２を変形して得られるものであり、複数の測定器１０と、複数の受信記憶装置２０と、複数のＰＣ５００と、サーバ装置６００とを有する。通信システム４は、複数の使用者に使用されるものであり、複数の使用者は、各々のユニットＵ１を使用して通信システム４を使用する。ユニットＵ１は、測定器１０、受信記憶装置２０およびＰＣ５００を一つずつ有する。
【０１３４】
＜４−２．ＰＣ５００＞
図２５は、ＰＣ５００の構成を示すブロック図である。ＰＣ５００が図１３のＰＣ５０と異なる点は、記憶部５０２に代えて記憶部５００２を有する点のみである。記憶部５００２が記憶部５０２と異なる点は、プログラム５０Ｐに代えてプログラム５００Ｐおよび識別情報５００Ｉを記憶している点のみである。識別情報５００Ｉは、複数の使用者の各々を識別する情報（例えば、受信記憶装置４０の製造番号）であり、対応する使用者が使用するユニットＵ１が有するＰＣ５００が備える記憶部５００２に記憶されている。
【０１３５】
＜４−３．サーバ装置６００＞
図２６は、サーバ装置６００の構成を示すブロック図である。サーバ装置６００が図１４のサーバ装置６０と異なる点は、記憶部６０２に代えて記憶部６００２を備える点のみである。記憶部６００２が記憶部６０２と大きく異なる点は、プログラム６０Ｐに代えてプログラム６００Ｐを記憶している点のみである。プログラム６００Ｐがプログラム６０Ｐと異なる点は、サーバ装置６００を蓄積装置、時刻訂正装置および時刻合わせ装置として機能させる処理を使用者毎に行う点である。なお、記憶部６００２のハードディスクには、使用者毎に、測定履歴を蓄積するための記憶領域が確保される。
【０１３６】
サーバ装置６００のＣＰＵ６０４は、ユニットＵ１毎に、ユニットＵ１からの要求（具体的には識別情報の入力）を契機として、第３転送処理を行う。
【０１３７】
＜４−４．第２転送処理および第３転送処理＞
図２７は、ＰＣ５００のＣＰＵ３０６が行う第２転送処理の流れを示すフローチャートである。この第２転送処理が図１７の第２転送処理と異なる点は、ステップＳ１３１の通信コネクションの確立処理において、記憶部５００２に記憶されている識別情報５００Ｉが通信インターフェイス３０７から出力される点のみである。
【０１３８】
図２８は、サーバ装置６００のＣＰＵ６０４が行う第３転送処理の流れを示すフローチャートの一部を示す図である。サーバ装置６００のＣＰＵ６０４は、図２７のステップＳ１３１の通信コネクションの確立処理に呼応して、図２８の第３転送処理を開始し、一つの通信コネクションの確立処理を行う（Ｓ１３２）。これにより、ＰＣ５００とサーバ装置６００との間に、当該ＰＣ５００の記憶部５００２に記憶されている識別情報５００Ｉに対応する通信コネクションが確立される。以降の第３転送処理では、図１８のステップＳ９２〜Ｓ１０４と同様の処理が行われるが、この処理では、上記識別情報５００Ｉに対応する通信コネクションおよび記憶領域が使用される。
【０１３９】
＜４−５．まとめ＞
以上説明したことから明らかなように、通信システム４によれば、複数の使用者に対して、通信システム２と同様のサービスを提供することができる。また、複数の使用者の測定履歴がサーバ装置６００に蓄積されるから、各種のサービスの提供が容易となる。提供可能なサービスとしては、例えば、使用者の測定履歴に基づいて当該使用者に医学的なアドバイスを与えるサービスや、複数の使用者の測定履歴を統計処理して特定の調査に役立つ指標を提供するサービスが挙げられる。
【０１４０】
なお、通信システム４に対して、通信システム１について述べた各種の変形を行ってもよい。また、通信システム４を変形し、測定器、受信記憶装置およびＰＣのうち少なくとも一つを複数の使用者が排他的に共用する共用形態としてもよい。共用形態には、複数の使用者が一つのＰＣを共用するＰＣ共用形態（例えば図２９）と、複数の使用者が一つの測定器を共用する測定器共用形態（例えば図３０）と、複数の使用者が一つの受信記憶装置を共用する受信記憶装置共用形態（例えば図３１）と、これらの組合せの形態（例えば図３２）がある。
【０１４１】
図２９の形態および図３０の形態では、例えば、一つの受信記憶装置の通信インターフェイスとＰＣの通信インターフェイスとが接続されると、この受信記憶装置の識別情報（例えば製造番号）がＰＣへ送信される。したがって、ＰＣでは、この識別情報を用いて、第２転送処理を行うことができる。よって、サーバ装置で行われる第３転送処理は、この識別情報に基づいた処理となる。
【０１４２】
図３１の形態では、例えば、一つの測定器が、一括送信処理において、その識別情報をも送信し、受信記憶装置が、一括受信処理において、当該識別情報を含む情報を受信して記録し、第１転送処理において、これらの情報をＰＣへ送信する。よって、サーバ装置で行われる第３転送処理は、この識別情報に基づいた処理となる。
【０１４３】
図３２の形態では、例えば、一つの測定器が、一括送信処理において、その識別情報をも送信し、受信記憶装置が、一括受信処理において、当該識別情報を含む情報を受信して記録し、第１転送処理において、これらの情報と、その識別情報（例えば識別情報）をＰＣへ送信する。したがって、ＰＣでは、測定器の識別情報と受信記憶装置の識別情報との組を用いて、第２転送処理を行うことができる。よって、サーバ装置で行われる第３転送処理は、この識別情報に基づいた処理となる。なお、受信記憶装置において、測定器の識別情報に基づいた処理（例えば、不適切な測定器から入力した情報（例えば、図３２内の一点鎖線）の破棄）を行うようにしてもよい。
【０１４４】
なお、通信システム１を変形し、複数の使用者に対して、通信システム１と同様のサービスを提供可能な形態としてもよい。このような形態としては、識別情報に基づいた処理を受信記憶装置が行う形態と、ＰＣが行う形態と、サーバ装置が行う形態が挙げられる。さらに、これらの形態に、適宜、上記の共有形態に係る変形を行ってもよい。また、通信システム３を変形し、複数の使用者に対して、通信システム３と同様のサービスを提供可能な形態としてもよい。このような形態としては、識別情報に基づいた処理を受信転送装置が行う形態と、サーバ装置が行う形態が挙げられる。さらに、これらの形態に、適宜、上記の共有形態に係る変形を行ってもよい。
【０１４５】
以上、説明したように、本発明の実施の形態には様々な変形が可能である。もちろん、これらの変形に限らず、公知の技術を適用して任意に変形可能である。そのような変形の一例を、第５の実施の形態として説明する。
【０１４６】
＜５．第５の実施の形態＞
＜５−１．通信システム５＞
図３３は、本発明の第５の実施の形態に係る通信システム５の構成を示すブロック図である。通信システム５は、複数の測定器１０と、複数の移動通信端末７０と、複数のＰＣ８０と、サーバ装置９０とを有する。通信システム５は、複数の使用者に使用されるものであり、複数の使用者は、各々のユニットＵ２を使用して通信システム５を使用する。ユニットＵ２は、測定器１０、移動通信端末７０およびＰＣ８０を一つずつ有する。ＰＣ８０は、一般的なパーソナルコンピュータであり、ＷＷＷ（World Wide Web）クライアントとして機能する。
【０１４７】
＜５−２．移動通信端末７０＞
図３４は、移動通信端末７０の構成を示すブロック図である。移動通信端末７０は、移動体通信網を介してインターネットにアクセス可能、または移動体通信網を含むインターネットにアクセス可能な携帯電話機（コンピュータ）であり、受信部７０１、記憶部７０２、無線通信インターフェイス７０３、表示部７０４、操作部７０５、ＲＴＣ７０６、ＣＰＵ７０７、主電源（図示略）および通話のための各部（図示略）を有する。
【０１４８】
受信部７０１は、データを受信して当該データが示す情報を入力する受取受信部であり、具体的にはデータを第１通信方式で受信して当該データが示す情報を入力する片方向受信部であり、より具体的には赤外光を受ける赤外線受光部を備える。無線通信インターフェイス７０３は、データを双方向通信方式で送受信することによって情報を入出力する送受信部であり、受取入力部および受取出力部として機能し、具体的には、移動体通信網の基地局との間で信号を送受信する。
【０１４９】
表示部７０４は、ＣＰＵ７０７から供給される画像データで示される画像を表示するものであり、具体的には液晶ディスプレイである。操作部７０５は、人に操作され、操作内容に応じた信号を出力するものであり、具体的には複数のキー（操作ボタン）を備える。ＲＴＣ７０６は、計時を行って時刻を示す受取計時部として機能し、電池を内蔵している。つまり、ＲＴＣ７０６は、主電源が投入されていなくとも、計時を継続することができる。
【０１５０】
記憶部７０２は、書き込まれたデータを保持することによって当該データが示す情報を記憶する受取記憶部であり、不揮発性メモリ（具体的にはＲＯＭおよびＥＥＰＲＯＭ）および揮発性メモリ（具体的にはＲＡＭ）を有する。ＲＯＭには、オペレーティングシステムを実現するためのプログラムが記憶されている。ＥＥＰＲＯＭには、移動通信端末７０を時刻受取装置および時刻訂正装置として機能させるプログラム７０Ｐが記憶される。ただし、ここでいう時刻受取装置は、測定器１０から入力した測定履歴を蓄積することなく転送するものであり、測定履歴の一時的な記憶には、応答速度が高速なＲＡＭが用いられる。
【０１５１】
ＣＰＵ７０７は、主電源が投入されると、オペレーティングシステムを実現するためのプログラムを実行する。オペレーティングシステムを実現したＣＰＵ７０７は、操作部７０５から、プログラム７０Ｐの実行を指示する信号が供給されると、プログラム７０Ｐを実行する。これにより、ＣＰＵ７０７は、まず、当該移動通信端末７０が属するユニットＵ２の識別情報を無線通信インターフェイス７０３に出力させ、次に、後述の訂正転送処理を行う。
【０１５２】
＜５−３．サーバ装置９０＞
図３５は、サーバ装置９０の構成を示すブロック図である。サーバ装置９０が図１４のサーバ装置６０と異なる点は、記憶部６０２に代えて記憶部９０２を備える点のみである。記憶部９０２が記憶部６０２と異なる点は、プログラム６０Ｐに代えてプログラム９０Ｐを記憶している点のみである。プログラム９０Ｐは、サーバ装置９０を蓄積装置として機能させるプログラムであり、サーバ装置９０を時刻訂正装置や時刻合わせ装置として機能させるものではない。サーバ装置９０において、オペレーティングシステムを実現したＣＰＵ６０４は、プログラム９０Ｐを用いて、使用者の測定履歴の閲覧を当該使用者のＷＷＷクライアントに許可するＷＷＷサーバとして機能する一方、ユニットＵ２毎に、ユニットＵ２からの要求（具体的には識別情報の入力）を契機として、後述の中継蓄積処理を行う。
【０１５３】
＜５−４．訂正転送処理および中継蓄積処理＞
移動通信端末７０で行われる訂正転送処理が、受信記憶装置２０で行われる測定時刻訂正処理（図８参照）と異なるのは、ステップＳ２９の内容のみである。訂正転送処理では、ＣＰＵ７０７は、入力情報に含まれている測定結果とその測定時刻とを一対一で対応付けて無線通信インターフェイス７０３に出力させる。具体的には、ＣＰＵ７０７は、入力情報に含まれている測定結果毎に、対応する第１差分と送信時刻とに基づいて測定時刻を算出し、互いに対応する測定結果および測定時刻を示すデータを無線通信インターフェイス７０３に送信させる。つまり、測定履歴は、記憶部７０２のＥＥＰＲＯＭに書き込まれずにサーバ装置９０へ転送される。
【０１５４】
サーバ装置９０で行われる中継蓄積処理では、サーバ装置９０のＣＰＵ６０４は、移動通信端末７０から出力された測定結果および測定時刻を通信インターフェイス６０１に入力させ、入力した測定結果および測定時刻を示すデータを、記憶部９０２の、当該移動通信端末７０が属するユニットＵ２に対応する領域に追記方式で書き込む。なお、以上の説明から明らかなように、移動通信端末７０は、測定器１０とサーバ装置９０との間で通信方式を変換する中継装置としても機能する。
【０１５５】
＜５−５．まとめ＞
以上説明したことから明らかなように、通信システム５によれば、複数の使用者に対して、通信システム３と同様のサービスを提供することができる。また、通信システム５では、使用者は、ＰＣ８０をＷＷＷクライアントとして用いて自身の測定履歴を閲覧することができる。なお、通信システム５を変形し、サーバ装置９０に蓄積された測定履歴を被験者に通知する仕組みにＷＷＷ以外の公知の技術を用いる形態としてもよいし、移動通信端末７０がＷＷＷクライアントとして機能する形態としてもよい。後者の形態では、ＰＣ８０が不要となる。なお、通信システム１〜４を変形し、使用者がＰＣや移動通信端末等の通信端末装置を用いて自身の測定履歴を閲覧することができる形態としてもよい。また、通信システム５では、複数の使用者の測定履歴がサーバ装置９０に蓄積されるから、通信システム４と同様に、各種のサービスの提供が容易となる。
【０１５６】
なお、通信システム５では、測定時刻の訂正を中継装置（移動通信端末７０）が行う構成としたが、これを変形し、サーバ装置９０が行うようにしてもよい。この場合、中継装置は、受信転送装置として機能することになる。また、通信システム５を変形し、受取計時部の時刻合わせを、ＮＴＰを用いて自動的に行う形態としてもよい。なお、通信システム５に対して、通信システム１について述べた各種の変形を行ってもよい。
【図面の簡単な説明】
【０１５７】
【図１】本発明の第１の実施の形態に係る通信システム１の構成を示すブロック図である。
【図２】通信システム１を構成する測定器１０の構成を示すブロック図である。
【図３】通信システム１を構成する受信記憶装置２０の構成を示すブロック図である。
【図４】通信システム１を構成するＰＣ３０の構成を示すブロック図である。
【図５】測定器１０のマイコン１１０が行う測定時刻付与処理の流れを示すフローチャートの前半を示す図である。
【図６】同測定時刻付与処理の流れを示すフローチャートの後半を示す図である。
【図７】測定器１０および受信記憶装置２０の動作例を示す図である。
【図８】受信記憶装置２０のマイコン２０６が行う測定時刻訂正処理の流れを示すフローチャートである。
【図９】マイコン２０６が行う第１同期処理の流れを示すフローチャートである。
【図１０】ＰＣ３０のＣＰＵ３０６が行う第２同期処理の流れを示すフローチャートである。
【図１１】本発明の第２の実施の形態に係る通信システム２の構成を示すブロック図である。
【図１２】通信システム２を構成する受信記憶装置４０の構成を示すブロック図である。
【図１３】通信システム２を構成するＰＣ５０の構成を示すブロック図である。
【図１４】通信システム２を構成するサーバ装置６０の構成を示すブロック図である。
【図１５】受信記憶装置４０のマイコン４０６が行う受信記録処理の流れを示すフローチャートである。
【図１６】マイコン４０６が行う第１転送処理の流れを示すフローチャートである。
【図１７】ＰＣ５０のＣＰＵ３０６が行う第２転送処理の流れを示すフローチャートである。
【図１８】サーバ装置６０のＣＰＵ６０４が行う第３転送処理の流れを示すフローチャートである。
【図１９】本発明の第３の実施の形態に係る通信システム３の構成を示すブロック図である。
【図２０】通信システム３を構成する受信転送装置１００の構成を示すブロック図である。
【図２１】受信転送装置１００のマイコン１００６が行う受信記録処理の流れを示すフローチャートである。
【図２２】通信システム３の変形例において受信転送装置のマイコンが行う受信転送処理の流れを示すフローチャートの一部を示す図である。
【図２３】通信システム３の変形例においてサーバ装置のＣＰＵが行う第３転送処理の流れを示すフローチャートの一部を示す図である。
【図２４】本発明の第４の実施の形態に係る通信システム４の構成を示すブロック図である。
【図２５】通信システム４を構成するＰＣ５００の構成を示すブロック図である。
【図２６】通信システム４を構成するサーバ装置６００の構成を示すブロック図である。
【図２７】ＰＣ５００のＣＰＵ３０６が行う第２転送処理の流れを示すフローチャートである。
【図２８】サーバ装置６００のＣＰＵ６０４が行う第３転送処理の流れを示すフローチャートの一部を示す図である。
【図２９】通信システム４の変形例（ＰＣ共有形態）に係る通信システムの構成の一部を示すブロック図である。
【図３０】通信システム４の変形例（測定器共有形態）に係る通信システムの構成の一部を示すブロック図である。
【図３１】通信システム４の変形例（受信記憶装置共有形態）に係る通信システムの構成の一部を示すブロック図である。
【図３２】通信システム４の変形例（組合せの形態）に係る通信システムの構成の一部を示すブロック図である。
【図３３】本発明の第５の実施の形態に係る通信システム５の構成を示すブロック図である。
【図３４】通信システム５を構成する移動通信端末７０の構成を示すブロック図である。
【図３５】通信システム５を構成するサーバ装置９０の構成を示すブロック図である。
【符号の説明】
【０１５８】
１〜５  通信システム、１０  測定器、２０，４０  受信記憶装置、３０，５０，８０，５００  ＰＣ、６０，９０，６００  サーバ装置、７０  移動通信端末、１００  受信転送装置、１０１  センサ、１０４，２０２，３０２，５０２，６０２，７０２，９０２，５００２，６００２  記憶部、１０５  送信部、１０７  測定スイッチ、１０８  送信スイッチ、１１０，２０６，４０６，１００６  マイコン、１１１，２０７  電池、２０１，７０１  受信部、７０３  無線通信インターフェイス、２０３，３０１，３０７，６０１，１００３  通信インターフェイス、３０５，６０３，７０６  ＲＴＣ、３０６，６０４，７０７  ＣＰＵ、１０Ｐ，２０Ｐ，３０Ｐ，４０Ｐ，５０Ｐ，６０Ｐ，７０Ｐ，９０Ｐ，１００Ｐ，５００Ｐ，６００Ｐ  プログラム。
【図１】
0004610598.tif 000002
【図２】
0004610598.tif 000003
【図３】
0004610598.tif 000004
【図４】
0004610598.tif 000005
【図５】
0004610598.tif 000006
【図６】
0004610598.tif 000007
【図７】
0004610598.tif 000008
【図８】
0004610598.tif 000009
【図９】
0004610598.tif 000010
【図１０】
0004610598.tif 000011
【図１１】
0004610598.tif 000012
【図１２】
0004610598.tif 000013
【図１３】
0004610598.tif 000014
【図１４】
0004610598.tif 000015
【図１５】
0004610598.tif 000016
【図１６】
0004610598.tif 000017
【図１７】
0004610598.tif 000018
【図１８】
0004610598.tif 000019
【図１９】
0004610598.tif 000020
【図２０】
0004610598.tif 000021
【図２１】
0004610598.tif 000022
【図２２】
0004610598.tif 000023
【図２３】
0004610598.tif 000024
【図２４】
0004610598.tif 000025
【図２５】
0004610598.tif 000026
【図２６】
0004610598.tif 000027
【図２７】
0004610598.tif 000028
【図２８】
0004610598.tif 000029
【図２９】
0004610598.tif 000030
【図３０】
0004610598.tif 000031
【図３１】
0004610598.tif 000032
【図３２】
0004610598.tif 000033
【図３３】
0004610598.tif 000034
【図３４】
0004610598.tif 000035
【図３５】
0004610598.tif 000036